(57)【要約】【課題】第１視認方向または第２視認方向に対応させて検出した入力画像を第１視認方向表示画像または第２視認方向表示画像として表示する液晶表示電子機器、およびそのような液晶電子機器での画像入力／画像表示方法を提供する。【解決手段】液晶表示電子機器１は、液晶表示部１０と、液晶表示部１０が相互に異なる第１視認方向ＥＤｆおよび第２視認方向ＥＤｓに向けて異なる表示画像ＤＩＭを表示するように液晶表示部１０に対して視差制御を施す視差制御部２０と、視差制御部２０に重畳して配置され入力画像ＷＩＭの入力が許容される入力許容領域３１を有する画像入力部３０とを備え、入力した入力画像ＷＩＭを第１視認方向ＥＤｆおよび第２視認方向ＥＤｓに対応させた第１視認方向入力画像ＷＩＭｆおよび第２視認方向入力画像ＷＩＭｓに分離して認識し、液晶表示部１０でそれぞれを表示する。【選択図】図１Ａ
2009187459.tif 000002
【特許請求の範囲】
【請求項１】
表示制御液晶層および該表示制御液晶層を駆動する液晶駆動部を有する液晶表示部と、該液晶表示部に重畳して配置され前記液晶表示部が第１視認方向に向けて第１視認方向表示画像を表示し、第２視認方向に向けて第１視認方向表示画像と異なる第２視認方向表示画像を表示するように前記液晶表示部に対して視差制御を施す視差制御部とを備える液晶表示電子機器であって、
前記視差制御部に重畳して配置され入力画像の入力が許容される入力許容領域を有する画像入力部と、
前記入力許容領域に対応して配置され、入力された入力画像を前記第１視認方向または前記第２視認方向に対応させて検出する入力画像検出部と、
該入力画像検出部で検出された入力画像に画像演算処理を施して入力画像に対応する画像表示信号を生成する画像表示信号生成部とを備え、
前記液晶駆動部は、前記画像表示信号に応じて前記第１視認方向表示画像／前記第２視認方向表示画像を表示する構成としてあること
を特徴とする液晶表示電子機器。
【請求項２】
請求項１に記載の液晶表示電子機器であって、
前記入力許容領域は、相互に対向する位置に配置された第１視認方向入力許容領域および第２視認方向入力許容領域を備えること
を特徴とする液晶表示電子機器。
【請求項３】
請求項２に記載の液晶表示電子機器であって、
前記入力画像検出部は、前記第１視認方向入力許容領域に入力された第１視認方向入力画像を検出する第１視認方向入力画像検出部と、前記第２視認方向入力許容領域に入力された第２視認方向入力画像を検出する第２視認方向入力画像検出部とを備えること
を特徴とする液晶表示電子機器。
【請求項４】
請求項３に記載の液晶表示電子機器であって、
前記液晶表示部は、前記第１視認方向入力許容領域に対応して配置され前記第１視認方向入力許容領域に入力された前記第１視認方向入力画像に対応する第１入力対応表示画像を前記第１視認方向表示画像として表示する第１表示領域と、前記第２視認方向入力許容領域に対応して配置され前記第２視認方向入力許容領域に入力された前記第２視認方向入力画像に対応する第２入力対応表示画像を前記第２視認方向表示画像として表示する第２表示領域とを備えること
を特徴とする液晶表示電子機器。
【請求項５】
請求項４に記載の液晶表示電子機器であって、
前記液晶表示部は、前記第１表示領域と前記第２表示領域との間に第３表示領域を備え、
該第３表示領域は、前記第１表示領域に表示された前記第１入力対応表示画像を複製した第１入力複製表示画像を前記第１視認方向表示画像として表示し、前記第２表示領域に表示された前記第２入力対応表示画像を複製した第２入力複製表示画像を前記第２視認方向表示画像として表示する構成としてある
を特徴とする液晶表示電子機器。
【請求項６】
請求項５に記載の液晶表示電子機器であって、
前記第３表示領域は、前記第２入力複製表示画像を１８０度回転させた第２回転表示画像を前記第１視認方向表示画像として表示し、前記第１入力複製表示画像を１８０度回転させた第１回転表示画像を前記第２視認方向表示画像として表示する構成としてあること
を特徴とする液晶表示電子機器。
【請求項７】
請求項６に記載の液晶表示電子機器であって、
前記第１視認方向入力許容領域に入力された前記第１視認方向入力画像が第１言語で構成され、前記第２視認方向入力許容領域に入力された第２視認方向入力画像が前記第１言語と異なる種類の第２言語で構成された場合に、
前記第１回転表示画像は前記第１言語を翻訳した前記第２言語で表示され、前記第２回転表示画像は前記第２言語を翻訳した前記第１言語で表示される構成してあること
を特徴とする液晶表示電子機器。
【請求項８】
請求項６または請求項７に記載の液晶表示電子機器であって、
前記第２回転表示画像を前記第２表示領域に前記第１視認方向表示画像として表示し、前記第１回転表示画像を前記第１表示領域に前記第２視認方向表示画像として表示する構成としてあること
を特徴とする液晶表示電子機器。
【請求項９】
請求項１ないし請求項８のいずれか一つに記載の液晶表示電子機器であって、
前記第１視認方向に対応して配置され前記第１視認方向からの操作を受け付ける第１操作部と、前記第２視認方向に対応して配置され前記第２視認方向からの操作を受け付ける第２操作部とを備えること
を特徴とする液晶表示電子機器。
【請求項１０】
請求項１ないし請求項９のいずれか一つに記載の液晶表示電子機器であって、
前記入力画像検出部は、発光型入力ペンで入力された入力画像を検出する光電変換素子を備えること
を特徴とする液晶表示電子機器。
【請求項１１】
表示制御液晶層および該表示制御液晶層を駆動する液晶駆動部を有する液晶表示部と、該液晶表示部に重畳して配置され前記液晶表示部が第１視認方向に向けて第１視認方向表示画像を表示し、第２視認方向に向けて第１視認方向表示画像と異なる第２視認方向表示画像を表示するように前記液晶表示部に対して視差制御を施す視差制御部とを備える液晶表示電子機器での画像入力／画像表示方法であって、
入力画像の入力が許容される入力許容領域を有する画像入力部に入力された入力画像を前記視差制御部を介して検出する入力画像検出ステップと、
該入力画像検出ステップで検出された入力画像に画像演算処理を施して画像表示信号を生成する画像表示信号生成ステップと、
前記画像表示信号に応じて前記第１視認方向表示画像／前記第２視認方向表示画像を表示する画像表示ステップとを備えること
を特徴とする画像入力／画像表示方法。
【請求項１２】
請求項１１に記載の画像入力／画像表示方法であって、
前記入力許容領域は、相互に対向する位置に配置された第１視認方向入力許容領域および第２視認方向入力許容領域を備え、
前記液晶表示部は、前記第１視認方向入力許容領域に対応して配置され前記第１視認方向入力許容領域に入力された前記第１視認方向入力画像に対応する第１入力対応表示画像を前記第１視認方向表示画像として表示する第１表示領域と、
前記第２視認方向入力許容領域に対応して配置され前記第２視認方向入力許容領域に入力された前記第２視認方向入力画像に対応する第２入力対応表示画像を前記第２視認方向表示画像として表示する第２表示領域と、前記第１表示領域に表示された前記第１入力対応表示画像を複製した第１入力複製表示画像を前記第１視認方向表示画像として表示し、前記第２表示領域に表示された前記第２入力対応表示画像を複製した第２入力複製表示画像を前記第２視認方向表示画像として表示する第３表示領域とを備え、
前記画像表示ステップで、前記第２入力複製表示画像を１８０度回転させた第２回転表示画像を前記第１視認方向表示画像として前記第３表示領域に表示し、前記第１入力複製表示画像を１８０度回転させた第１回転表示画像を前記第２視認方向表示画像として前記第３表示領域に表示すること
を特徴とする画像入力／画像表示方法。
【請求項１３】
請求項１２に記載の画像入力／画像表示方法であって、
前記第１視認方向入力許容領域に入力された前記第１視認方向入力画像が第１言語で構成され、前記第２視認方向入力許容領域に入力された第２視認方向入力画像が前記第１言語と異なる種類の第２言語で構成された場合に、
前記画像表示ステップで、前記第１言語を翻訳した前記第２言語で前記第１回転表示画像を表示し、前記第２言語を翻訳した前記第１言語で前記第２回転表示画像を表示すること
を特徴とする画像入力／画像表示方法。
【発明の詳細な説明】
【技術分野】
【０００１】
本発明は、第１視認方向に向けて第１視認方向表示画像を表示し、第２視認方向に向けて第１視認方向表示画像と異なる第２視認方向表示画像を表示する液晶表示部を備える液晶表示電子機器、およびこのような液晶表示電子機器での画像入力／画像表示方法に関する。
【背景技術】
【０００２】
従来の電子機器の表示形態として、例えば、単一の表示画面によって異なる２方向に対して互いに異なる２画像を表示する形態のもの（例えば、特許文献１、特許文献２参照。）が提案されている。しかし、単に２画像が表示されるだけであり、電子機器に対してその場で直接的に入力操作を施すことはできず、異なる２方向からの異なる画像入力はできないという問題がある。
【０００３】
あるいは、２次元／３次元の表示機能を備える形態のものが知られている（例えば、特許文献３参照。）。しかし、この場合は、異なる方向にいる複数の利用者に対して異なる画像を表示することはできないという問題がある。
【０００４】
また、従来の電子機器の入力形態として、例えば、電子ペンを適用して入力するもの（例えば、特許文献４参照。）、あるいは、タッチパネルを適用して入力する形態のもの（例えば、特許文献５、特許文献６参照。）が知られている。しかし、これらの電子機器での入力形態は、単一方向からの操作を基本とするものであり、異なる２方向から異なる利用者による異なる２入力を許容するものではなく、２方向からの異なる利用者による異なる入力を併せて許容することは困難である。
【０００５】
上述したとおり、従来の電子機器では、異なる２方向からの異なる入力（操作）を許容する入力形態とすることができないことから、異なる方向からの異なる入力画像に対応させて異なる方向へ異なる表示画像を表示することはできなかった。
【０００６】
したがって、従来の電子機器、例えば電子辞書などでは、単独利用が原則であり、同時に対向する２方向から操作して、対向位置にいる複数（２人）の利用者による同時的な情報伝達（相互間の情報交換）を図ることは困難であり、有効な機能（例えば翻訳機能）を十分に活用できないという問題があった。
【特許文献１】特開２００７−２０６１０８号公報
【特許文献２】特開２００５−７８０８０号公報
【特許文献３】特開２００４−１１２１７４号公報
【特許文献４】特開平９−３４６３８号公報
【特許文献５】特開２０００−１３２３３８号公報
【特許文献６】特開２００６−２５１９２７号公報
【発明の開示】
【発明が解決しようとする課題】
【０００７】
本発明は、このような状況に鑑みてなされたものであり、第１視認方向に向けて第１視認方向表示画像を表示し、第２視認方向に向けて第１視認方向表示画像と異なる第２視認方向表示画像を表示する液晶表示部と、入力された入力画像を第１視認方向または第２視認方向に対応させて検出する入力画像検出部と、第１視認方向または第２視認方向に対応させて検出した入力画像を第１視認方向表示画像または第２視認方向表示画像として表示する液晶表示電子機器を提供することを目的とする。
【０００８】
また、本発明は、第１視認方向に向けて第１視認方向表示画像を表示し、第２視認方向に向けて第１視認方向表示画像と異なる第２視認方向表示画像を表示する液晶表示部と、入力された入力画像を第１視認方向または第２視認方向に対応させて検出する入力画像検出部と、第１視認方向または第２視認方向に対応させて検出した入力画像を第１視認方向表示画像または第２視認方向表示画像として表示する液晶表示電子機器での画像入力／画像表示方法を提供することを他の目的とする。
【課題を解決するための手段】
【０００９】
本発明に係る液晶表示電子機器は、表示制御液晶層および該表示制御液晶層を駆動する液晶駆動部を有する液晶表示部と、該液晶表示部に重畳して配置され前記液晶表示部が第１視認方向に向けて第１視認方向表示画像を表示し、第２視認方向に向けて第１視認方向表示画像と異なる第２視認方向表示画像を表示するように前記液晶表示部に対して視差制御を施す視差制御部とを備える液晶表示電子機器であって、前記視差制御部に重畳して配置され入力画像の入力が許容される入力許容領域を有する画像入力部と、前記入力許容領域に対応して配置され、入力された入力画像を前記第１視認方向または前記第２視認方向に対応させて検出する入力画像検出部と、該入力画像検出部で検出された入力画像に画像演算処理を施して入力画像に対応する画像表示信号を生成する画像表示信号生成部とを備え、前記液晶駆動部は、前記画像表示信号に応じて前記第１視認方向表示画像／前記第２視認方向表示画像を表示する構成としてあることを特徴とする。
【００１０】
この構成により、第１視認方向および第２視認方向に対応させて視差制御部で分離した入力画像を入力画像検出部で検出することから、分離して検出した入力画像に応じた表示画像（第１視認方向表示画像／第２視認方向表示画像）を表示することが可能となり、第１視認方向および第２視認方向で分離した入力画像に対応する表示画像（第１視認方向表示画像／第２視認方向表示画像）を対応する第１視認方向および第２視認方向でそれぞれ視認することができるので、複数操作者に対応した機能的な画像入力および画像表示が可能な優れた液晶表示電子機器とすることができる。
【００１１】
また、本発明に係る液晶表示電子機器では、前記入力許容領域は、相互に対向する位置に配置された第１視認方向入力許容領域および第２視認方向入力許容領域を備えることを特徴とする。
【００１２】
この構成により、第１視認方向および第２視認方向に対応させた画像入力が可能となることから、第１視認方向および第２視認方向に対応する位置からの異なる操作者による異なる画像入力を許容することができる。
【００１３】
また、本発明に係る液晶表示電子機器では、前記入力画像検出部は、前記第１視認方向入力許容領域に入力された第１視認方向入力画像を検出する第１視認方向入力画像検出部と、前記第２視認方向入力許容領域に入力された第２視認方向入力画像を検出する第２視認方向入力画像検出部とを備えることを特徴とする。
【００１４】
この構成により、第１視認方向入力許容領域に第１視認方向入力画像検出部を対応させ、第２視認方向入力許容領域に第２視認方向入力画像検出部を対応させることから、入力された入力画像（第１視認方向入力画像／第２視認方向入力画像）を第１視認方向入力画像検出部および第２視認方向入力画像検出部でそれぞれ別々に検出することが可能となり、画像入力の混同を防止して画像入力を正確に実行できるので、操作性、機能性の良い液晶表示電子機器とすることができる。
【００１５】
また、本発明に係る液晶表示電子機器では、前記液晶表示部は、前記第１視認方向入力許容領域に対応して配置され前記第１視認方向入力許容領域に入力された前記第１視認方向入力画像に対応する第１入力対応表示画像を前記第１視認方向表示画像として表示する第１表示領域と、前記第２視認方向入力許容領域に対応して配置され前記第２視認方向入力許容領域に入力された前記第２視認方向入力画像に対応する第２入力対応表示画像を前記第２視認方向表示画像として表示する第２表示領域とを備えることを特徴とする。
【００１６】
この構成により、第１視認方向入力許容領域への第１視認方向入力画像または第２視認方向入力許容領域への第２視認方向入力画像に対応させた表示画像（第１視認方向表示画像としての第１入力対応表示画像、または第２視認方向表示画像としての第２入力対応表示画像）をそれぞれ表示することが可能となり、入力画像を容易に確認できる利便性の良い液晶表示電子機器とすることができる。
【００１７】
また、本発明に係る液晶表示電子機器では、前記液晶表示部は、前記第１表示領域と前記第２表示領域との間に第３表示領域を備え、該第３表示領域は、前記第１表示領域に表示された前記第１入力対応表示画像を複製した第１入力複製表示画像を前記第１視認方向表示画像として表示し、前記第２表示領域に表示された前記第２入力対応表示画像を複製した第２入力複製表示画像を前記第２視認方向表示画像として表示する構成としてあるを特徴とする。
【００１８】
この構成により、第１表示領域および第２表示領域とは異なる第３表示領域で表示画像（第１入力対応表示画像を複製した第１入力複製表示画像、第２入力対応表示画像を複製した第２入力複製表示画像）を表示することにより、第３表示領域で第１視認方向からは第１入力複製表示画像を第１視認方向表示画像として視認し、第２視認方向からは第２入力複製表示画像を第２視認方向表示画像として視認することが可能となることから、第３表示領域を共通表示領域として画像交換形式での情報交換を行なうことが可能となり、汎用性、機能性に優れた液晶表示電子機器とすることができる。
【００１９】
また、本発明に係る液晶表示電子機器では、前記第３表示領域は、前記第２入力複製表示画像を１８０度回転させた第２回転表示画像を前記第１視認方向表示画像として表示し、前記第１入力複製表示画像を１８０度回転させた第１回転表示画像を前記第２視認方向表示画像として表示する構成としてあることを特徴とする。
【００２０】
この構成により、一方（第１視認方向／第２視認方向）の操作者は、自己が入力した入力画像（第１視認方向入力画像／第２視認方向入力画像）に対応する表示画像（第１入力対応表示画像を複製した第１入力複製表示画像／第２入力対応表示画像を複製した第２入力複製表示画像）に加えて、対向する他方（第２視認方向／第１視認方向）の操作者が入力した入力画像（第２視認方向入力画像／第１視認方向入力画像）に対応する表示画像（第２入力対応表示画像を複製した第２入力複製表示画像／第１入力対応表示画像を複製した第１入力複製表示画像）を１８０度回転させた回転表示画像（第２回転表示画像／第１回転表示画像）を容易かつ正確に視認することが可能となり、操作性、視認性の良い液晶表示電子機器とすることができる。
【００２１】
また、本発明に係る液晶表示電子機器では、前記第１視認方向入力許容領域に入力された前記第１視認方向入力画像が第１言語で構成され、前記第２視認方向入力許容領域に入力された第２視認方向入力画像が前記第１言語と異なる種類の第２言語で構成された場合に、前記第１回転表示画像は前記第１言語を翻訳した前記第２言語で表示され、前記第２回転表示画像は前記第２言語を翻訳した前記第１言語で表示される構成してあることを特徴とする。
【００２２】
この構成により、入力画像が相互に異なる種類の言語で入力された場合、第１視認方向表示画像（第２入力複製表示画像を回転させた第２回転表示画像）および第２視認方向表示画像（第１入力複製表示画像を回転させた第１回転表示画像）は、それぞれ他方の言語を翻訳された形態で表示することから、異種言語を適用する操作者相互間での情報交換を容易に実行することが可能となる。
【００２３】
また、本発明に係る液晶表示電子機器では、前記第２回転表示画像を前記第２表示領域に前記第１視認方向表示画像として表示し、前記第１回転表示画像を前記第１表示領域に前記第２視認方向表示画像として表示する構成としてあることを特徴とする。
【００２４】
この構成により、対向する側の入力画像（第１視認方向入力画像／第２視認方向入力画像）を異なる表示領域で重複して表示することが可能となることから、例えば対向する相互間で言語変換を実行する場合に表示領域に応じて異なる種類の言語を適用することが可能となるので、利用上の機能性を向上させた液晶表示電子機器とすることができる。
【００２５】
また、本発明に係る液晶表示電子機器では、前記第１視認方向に対応して配置され前記第１視認方向からの操作を受け付ける第１操作部と、前記第２視認方向に対応して配置され前記第２視認方向からの操作を受け付ける第２操作部とを備えることを特徴とする。
【００２６】
この構成により、第１視認方向または第２視認方向それぞれで、個別に機能を操作することが可能となり、操作性、機能性に優れた液晶表示電子機器とすることができる。
【００２７】
また、本発明に係る液晶表示電子機器では、前記入力画像検出部は、発光型入力ペンで入力された入力画像を検出する光電変換素子を備えることを特徴とする。
【００２８】
この構成により、容易かつ高精度に入力画像を検出することが可能となる。
【００２９】
また、本発明に係る画像入力／画像表示方法は、表示制御液晶層および該表示制御液晶層を駆動する液晶駆動部を有する液晶表示部と、該液晶表示部に重畳して配置され前記液晶表示部が第１視認方向に向けて第１視認方向表示画像を表示し、第２視認方向に向けて第１視認方向表示画像と異なる第２視認方向表示画像を表示するように前記液晶表示部に対して視差制御を施す視差制御部とを備える液晶表示電子機器での画像入力／画像表示方法であって、入力画像の入力が許容される入力許容領域を有する画像入力部に入力された入力画像を前記視差制御部を介して検出する入力画像検出ステップと、該入力画像検出ステップで検出された入力画像に画像演算処理を施して画像表示信号を生成する画像表示信号生成ステップと、前記画像表示信号に応じて前記第１視認方向表示画像／前記第２視認方向表示画像を表示する画像表示ステップとを備えることを特徴とする。
【００３０】
この構成により、第１視認方向および第２視認方向に対応させて視差制御部で分離した入力画像を検出することから、分離して検出した入力画像に応じて生成した画像表示信号によって表示制御液晶層を駆動することが可能となり、第１視認方向および第２視認方向で分離した入力画像に対応する表示画像（第１視認方向表示画像／第２視認方向表示画像）を対応する第１視認方向および第２視認方向でそれぞれ表示することができるので、複数操作者に対応した機能的な画像入力および画像表示が可能な優れた画像入力／画像表示方法とすることができる。
【００３１】
また、本発明に係る画像入力／画像表示方法では、前記入力許容領域は、相互に対向する位置に配置された第１視認方向入力許容領域および第２視認方向入力許容領域を備え、前記液晶表示部は、前記第１視認方向入力許容領域に対応して配置され前記第１視認方向入力許容領域に入力された前記第１視認方向入力画像に対応する第１入力対応表示画像を前記第１視認方向表示画像として表示する第１表示領域と、前記第２視認方向入力許容領域に対応して配置され前記第２視認方向入力許容領域に入力された前記第２視認方向入力画像に対応する第２入力対応表示画像を前記第２視認方向表示画像として表示する第２表示領域と、前記第１表示領域に表示された前記第１入力対応表示画像を複製した第１入力複製表示画像を前記第１視認方向表示画像として表示し、前記第２表示領域に表示された前記第２入力対応表示画像を複製した第２入力複製表示画像を前記第２視認方向表示画像として表示する第３表示領域とを備え、前記画像表示ステップで、前記第２入力複製表示画像を１８０度回転させた第２回転表示画像を前記第１視認方向表示画像として前記第３表示領域に表示し、前記第１入力複製表示画像を１８０度回転させた第１回転表示画像を前記第２視認方向表示画像として前記第３表示領域に表示することを特徴とする。
【００３２】
この構成により、第１視認方向および第２視認方向それぞれ一方で入力した入力画像を他方での表示画像として表示することが可能となり、一方の操作者が入力した入力画像を他方の操作者が容易かつ正確に表示画像として視認することが可能となることから、画像交換形式（対面形式）での情報交換が可能で、操作性、視認性の良い画像入力／画像表示方法とすることができる。
【００３３】
また、本発明に係る画像入力／画像表示方法では、前記第１視認方向入力許容領域に入力された前記第１視認方向入力画像が第１言語で構成され、前記第２視認方向入力許容領域に入力された第２視認方向入力画像が前記第１言語と異なる種類の第２言語で構成された場合に、前記画像表示ステップで、前記第１言語を翻訳した前記第２言語で前記第１回転表示画像を表示し、前記第２言語を翻訳した前記第１言語で前記第２回転表示画像を表示することを特徴とする。
【００３４】
この構成により、操作者が相互に異なる言語を用いる場合に、操作者相互間での情報伝達（異種言語の翻訳による情報交換）を容易かつ正確に図ることが可能となる。
【発明の効果】
【００３５】
本発明に係る液晶表示電子機器によれば、表示制御液晶層および表示制御液晶層を駆動する液晶駆動部を有する液晶表示部と、液晶表示部に重畳して配置され液晶表示部が第１視認方向に向けて第１視認方向表示画像を表示し、第２視認方向に向けて第１視認方向表示画像と異なる第２視認方向表示画像を表示するように液晶表示部に対して視差制御を施す視差制御部とを備え、視差制御部に重畳して配置され入力画像の入力が許容される入力許容領域を有する画像入力部と、入力許容領域に対応して配置され、入力された入力画像を第１視認方向または第２視認方向に対応させて検出する入力画像検出部と、入力画像検出部で検出された入力画像に画像演算処理を施して入力画像に対応する画像表示信号を生成する画像表示信号生成部とを備え、液晶駆動部は、画像表示信号に応じて第１視認方向表示画像／第２視認方向表示画像を表示する構成としてあることから、第１視認方向および第２視認方向に対応させて視差制御部で分離した入力画像を入力画像検出部で検出し、分離して検出した入力画像に応じた表示画像（第１視認方向表示画像／第２視認方向表示画像）を表示することが可能となり、第１視認方向および第２視認方向で分離した入力画像に対応する表示画像（第１視認方向表示画像／第２視認方向表示画像）を対応する第１視認方向および第２視認方向でそれぞれ視認することができるので、複数操作者に対応した機能的な画像入力および画像表示が可能な優れた液晶表示電子機器を提供することができるという効果を奏する。
【００３６】
また、本発明に係る画像入力／画像表示方法によれば、表示制御液晶層および表示制御液晶層を駆動する液晶駆動部を有する液晶表示部と、液晶表示部に重畳して配置され液晶表示部が第１視認方向に向けて第１視認方向表示画像を表示し、第２視認方向に向けて第１視認方向表示画像と異なる第２視認方向表示画像を表示するように液晶表示部に対して視差制御を施す視差制御部とを備える液晶表示電子機器での画像入力／画像表示方法とし、入力画像の入力が許容される入力許容領域を有する画像入力部に入力された入力画像を視差制御部を介して検出する入力画像検出ステップと、入力画像検出ステップで検出された入力画像に画像演算処理を施して画像表示信号を生成する画像表示信号生成ステップと、画像表示信号に応じて第１視認方向表示画像／第２視認方向表示画像を表示する画像表示ステップとを備え、第１視認方向および第２視認方向に対応させて視差制御部で分離した入力画像を検出し、分離して検出した入力画像に応じて生成した画像表示信号によって表示制御液晶層を駆動することから、第１視認方向および第２視認方向で分離した入力画像に対応する表示画像（第１視認方向表示画像／第２視認方向表示画像）を対応する第１視認方向および第２視認方向でそれぞれ表示することが可能となり、複数操作者に対応した機能的な画像入力および画像表示が可能な優れた画像入力／画像表示方法を提供することができるという効果を奏する。
【発明を実施するための最良の形態】
【００３７】
以下、本発明の実施の形態を図面に基づいて説明する。
【００３８】
＜実施の形態１＞
図１Ａないし図２Ｅに基づいて本実施の形態に係る液晶表示電子機器について説明する。
【００３９】
図１Ａは、本発明の実施の形態１に係る液晶表示電子機器の概略構成および視差制御された表示状態を概念的に示す平面図である。図１Ｂは、図１Ａに示した液晶表示電子機器の矢符Ｘ方向から見た側面状態を透視的に示す透視側面図である。
【００４０】
本実施の形態に係る液晶表示電子機器１は、筐体１ｃに、液晶表示部１０と、液晶表示部１０に重畳して配置され液晶表示部１０が相互に異なる第１視認方向ＥＤｆおよび第２視認方向ＥＤｓに向けて異なる表示画像ＤＩＭを表示するように液晶表示部１０に対して視差制御を施す視差制御部２０とを備える。
【００４１】
つまり、視差制御部２０は、第１視認方向ＥＤｆに向けて第１視認方向表示画像ＤＩＭｆを表示し、第２視認方向ＥＤｓに向けて第１視認方向表示画像ＤＩＭｆと異なる第２視認方向表示画像ＤＩＭｓを表示するように視差制御を施す。
【００４２】
なお、視差制御部２０での視差制御は、液晶分子の配列方向を制御することによって、実行することが可能である。
【００４３】
第１視認方向ＥＤｆで視認される表示画像ＤＩＭを第１視認方向表示画像ＤＩＭｆとし、第２視認方向ＥＤｓで視認される表示画像ＤＩＭを第２視認方向表示画像ＤＩＭｓとして示す。視差制御部２０を機能させることによって、第１視認方向表示画像ＤＩＭｆとしては、例えば三角図形を表示し、第２視認方向表示画像ＤＩＭｓとしては、例えば楕円図形を表示することが可能な構成としてある。
【００４４】
なお、ここで示す表示画像ＤＩＭの図形状態は、視差制御による視差表示（異なる方向への異なる表示画像ＤＩＭの表示）を説明するためにのみ示すものであり、正確な表示状態については実施の形態２以下で説明する。
【００４５】
第１視認方向ＥＤｆおよび第２視認方向ＥＤｓを特に区別する必要が無い場合は、以下、単に視認方向ＥＤとすることがある。また、第１視認方向表示画像ＤＩＭｆおよび第２視認方向表示画像ＤＩＭｓを特に区別する必要が無い場合は、以下、単に視認方向ＤＩＭとすることがある。
【００４６】
第１視認方向表示画像ＤＩＭｆは、第１視認方向操作者ＯＰｆによって視認され、第２視認方向表示画像ＤＩＭｓは、第２視認方向操作者ＯＰｓによって視認される。なお、第１視認方向操作者ＯＰｆおよび第２視認方向操作者ＯＰｓを特に区別する必要が無い場合は、以下、単に操作者ＯＰとすることがある。
【００４７】
液晶表示電子機器１は、液晶表示部１０での視差表示機能に加えて視差表示機能に対応させた画像入力が可能な構成としてある。つまり、視差制御部２０に重畳して配置され入力画像ＷＩＭ（図２Ａ以下参照）の入力が許容される入力許容領域３１を有する画像入力部３０を備える。
【００４８】
したがって、入力した入力画像ＷＩＭを視差制御部２０によって第１視認方向ＥＤｆおよび第２視認方向ＥＤｓに対応させた第１視認方向入力画像ＷＩＭｆ（実施の形態２、実施の形態３参照）および第２視認方向入力画像ＷＩＭｓ（実施の形態２、実施の形態３参照）に分離して認識することが可能となる。
【００４９】
なお、画像入力の詳細については、実施の形態２、実施の形態３でさらに説明する。また、第１視認方向入力画像ＷＩＭｆおよび第２視認方向入力画像ＷＩＭｓを特に区別する必要が無い場合は、以下、単に入力画像ＷＩＭとすることがある。
【００５０】
また、視差制御部２０による入力画像ＷＩＭの分離は、視差制御部２０の液晶分子の配列方向を制御することによって実行することが可能である。
【００５１】
画像入力部３０への画像入力は、例えば発光型入力ペン３５（第１視認方向操作者ＯＰｆが操作する第１発光型入力ペン３５ｆ、第２視認方向操作者ＯＰｓが操作する第２発光型入力ペン３５ｓ）によって実行される。なお、第１発光型入力ペン３５ｆおよび第２発光型入力ペン３５ｓを特に区別する必要が無い場合は、以下、単に発光型入力ペン３５とすることがある。
【００５２】
なお、以下の説明では、入力手段として発光型入力ペン３５を適用した場合について示すが、例えばタッチパネルのように接触式の入力手段を適用することも可能である。
【００５３】
また、液晶表示電子機器１は、入力許容領域３１に対応して配置され入力された入力画像ＷＩＭを第１視認方向ＥＤｆまたは第２視認方向ＥＤｓに対応させて検出する入力画像検出部４０と、入力画像検出部４０で検出された入力画像ＷＩＭに画像演算処理を施して入力画像ＷＩＭに対応する画像表示信号Ｓｄｉｍを生成する画像表示信号生成部５０とを備える。
【００５４】
液晶表示部１０は、表示制御液晶層１１および表示制御液晶層１１を駆動する液晶駆動部１３を有し、液晶駆動部１３は、画像表示信号Ｓｄｉｍに応じて表示画像ＤＩＭを表示する構成としてある。また、液晶表示部１０の背面には、バックライト１５が配置してある。
【００５５】
つまり、液晶表示電子機器１は、第１視認方向ＥＤｆおよび第２視認方向ＥＤｓに対応させて視差制御部２０で分離した入力画像ＷＩＭを入力画像検出部４０で検出することから、分離して検出した入力画像ＷＩＭに応じた表示画像ＤＩＭ（第１視認方向表示画像ＤＩＭｆ、第２視認方向表示画像ＤＩＭｓ）を表示することが可能となる。
【００５６】
したがって、第１視認方向ＥＤｆおよび第２視認方向ＥＤｓに分離した入力画像ＷＩＭに対応する表示画像ＤＩＭを対応する第１視認方向ＥＤｆおよび第２視認方向ＥＤｓでそれぞれ視認することができるので、複数操作者ＯＰに対応した機能的な画像入力および画像表示が可能な優れた液晶表示電子機器１とすることができる。
【００５７】
入力許容領域３１は、相互に対向する位置に配置された第１視認方向入力許容領域３１ｆおよび第２視認方向入力許容領域３１ｓを備える。したがって、第１視認方向ＥＤｆおよび第２視認方向ＥＤｓに対応させた画像入力が可能となることから、第１視認方向ＥＤｆおよび第２視認方向ＥＤｓに対応する位置からの異なる操作者ＯＰ（第１視認方向ＥＤｆに対応する第１視認方向操作者ＯＰｆ、第２視認方向ＥＤｓに対応する第２視認方向操作者ＯＰｓ）による異なる画像入力を許容することができる。なお、第１視認方向入力許容領域３１ｆおよび第２視認方向入力許容領域３１ｓを特に区別する必要が無い場合は、以下、単に入力許容領域３１とすることがある。
【００５８】
液晶表示電子機器１は、第１視認方向ＥＤｆ（第１視認方向操作者ＯＰｆ）に対応して配置され第１視認方向操作者ＯＰｆによる操作を受け付ける第１操作部６０ｆと、第２視認方向ＥＤｓ（第２視認方向操作者ＯＰｓ）に対応して配置され第２視認方向操作者ＯＰｓによる操作を受け付ける第２操作部６０ｓとを備える。したがって、第１視認方向ＥＤｆまたは第２視認方向ＥＤｓそれぞれで、個別に機能を操作することが可能となり、操作性、機能性に優れた液晶表示電子機器１とすることができる。なお、第１操作部６０ｆおよび第２操作部６０ｓを特に区別する必要が無い場合は、以下、単に操作部６０とすることがある。
【００５９】
液晶表示部１０は、第１視認方向入力許容領域３１ｆに対応して配置され第１視認方向入力許容領域３１ｆに入力された第１視認方向入力画像ＷＩＭｆに対応する第１視認方向表示画像ＤＩＭｆを表示する第１表示領域１０ｆ（なお、詳細については、実施の形態３参照。）と、第２視認方向入力許容領域３１ｓに対応して配置され第２視認方向入力許容領域３１ｓに入力された第２視認方向入力画像ＷＩＭｓに対応する第２視認方向表示画像ＤＩＭｓを表示する第２表示領域１０ｓ（なお、詳細については、実施の形態３参照。）とを備える。
【００６０】
したがって、第１視認方向入力許容領域３１ｆへの第１視認方向入力画像ＷＩＭｆおよび第２視認方向入力許容領域３１ｓへの第２視認方向入力画像ＷＩＭｓに対応させた表示画像（第１視認方向表示画像ＤＩＭｆ、第２視認方向表示画像ＤＩＭｓ）をそれぞれ表示することが可能となり、入力画像を容易に確認できる利便性の良い液晶表示電子機器１とすることができる（なお、詳細については、実施の形態３を参照。）。
【００６１】
また、液晶表示部１０は、第１表示領域１０ｆと第２表示領域１０ｓとの間に第３表示領域１０ｔを備え、第３表示領域１０ｔは、第１視認方向ＥＤｆで視認される第１視認方向表示画像ＤＩＭｆ（例えば、三角図形）および第２視認方向ＥＤｓで視認される第２視認方向表示画像ＤＩＭｓ（例えば、楕円図形）を表示画像ＤＩＭとして表示する構成としてある。
【００６２】
したがって、第１表示領域１０ｆおよび第２表示領域１０ｓとは異なる第３表示領域１０ｔで表示画像ＤＩＭを表示することにより、第１視認方向ＥＤｆからは第１視認方向表示画像ＤＩＭｆを視認し、第２視認方向ＥＤｓからは第２視認方向表示画像ＤＩＭｓを視認することが可能となることから、画像交換形式（対面形式）での情報交換を行なうことができ、汎用性、機能性に優れた液晶表示電子機器１とすることができる。
【００６３】
なお、第１表示領域１０ｆ、第２表示領域１０ｓ、および第３表示領域１０ｔによって、画像表示面１０ｄが構成される。
【００６４】
図２Ａは、図１Ｂに示した液晶表示電子機器の領域Ｙ１（第１表示領域、第１視認方向入力許容領域）の断面状態を拡大して第１視認方向での画像の入力状態を概念的に示す入力概念説明図である。図２Ｂは、図２Ａで入力した画像を第１視認方向で表示／視認するときの表示状態を概念的に示す表示概念説明図である。
【００６５】
図１Ｂに示した液晶表示電子機器の領域Ｙ１は、液晶表示部１０の第１視認方向入力許容領域３１ｆでの断面に対応する。したがって、表面側から、画像入力部３０、視差制御部２０、液晶表示部１０（第１表示領域１０ｆ）、バックライト１５が順次重ねられた状態となっている。なお、液晶表示部１０には、入力画像検出部４０が配置してある。
【００６６】
また、第１視認方向入力許容領域３１ｆに対しては、第１視認方向ＥＤｆの第１視認方向操作者ＯＰｆが操作する第１発光型入力ペン３５ｆからの光信号ＬＳによって画像入力がなされる。
【００６７】
画像入力部３０は、例えば透光性の薄板で形成してあり、第１発光型入力ペン３５ｆからの光信号ＬＳ（第１視認方向入力画像ＷＩＭｆ）の入力が許容される。光信号ＬＳは、視差制御部２０によって視差制御を受けた状態で通過（第１視認方向入力画像ＷＩＭｆに対応する光信号ＬＳのみが通過）し、液晶表示部１０のカラーフィルタ１４へ入射する。カラーフィルタ１４へ入射した光信号ＬＳは、液晶表示部１０の表示制御液晶層１１を通過して入力画像検出部４０（第１視認方向入力許容領域３１ｆに対応させた第１視認方向入力画像検出部４０ｆ）へ入力される。
【００６８】
第１視認方向入力画像検出部４０ｆは第１視認方向入力許容領域３１ｆで第１視認方向入力画像ＷＩＭｆとしての光信号ＬＳを受光し、検出する。つまり、第１視認方向入力画像検出部４０ｆは、第１視認方向入力画像ＷＩＭｆを検出することが可能となる（図２Ａ）。なお、第１視認方向入力画像ＷＩＭｆは、第１発光型入力ペン３５ｆによる光信号ＬＳの軌跡に対応する。
【００６９】
視差制御部２０は、視差制御液晶層２１を備え、光路のオンオフ（図上黒白反転で示す）制御によって光信号ＬＳに対する視差制御を実行する構成としてある。視差制御液晶層２１は、例えばデューティ液晶によって構成することが可能である。
【００７０】
画像入力部３０の表面と視差制御液晶層２１との間の距離Ｄｉｓ１は、視差制御部２０の視差制御による画像入力が高精度に実行できるように調整してある。
【００７１】
液晶表示部１０は、表示制御液晶層１１の裏面側に配置された液晶駆動部１３、表面側に配置されたカラーフィルタ１４を備える。視差制御液晶層２１と表示制御液晶層１１との間の距離Ｄｉｓ２は、視差制御部２０の視差制御による画像表示が高精度に実行できるように調整してある。
【００７２】
表示制御液晶層１１と液晶駆動部１３との間に、第１発光型入力ペン３５ｆからの光信号（第１視認方向入力画像ＷＩＭｆ）を受光して検出する入力画像検出部４０（第１視認方向入力画像検出部４０ｆ）が配置してある。入力画像検出部４０の表面と第１視認方向入力画像検出部４０ｆとの間の距離Ｄｉｓ３は、第１視認方向入力画像ＷＩＭｆとしての光信号を高精度に検出するように調整してある。
【００７３】
入力画像検出部４０（第１視認方向入力画像検出部４０ｆ）は、発光型入力ペン３５（第１発光型入力ペン３５ｆ）で入力された入力画像ＷＩＭ（第１視認方向入力画像ＷＩＭｆ）を検出する光電変換素子４１を備える。したがって、容易かつ高精度に入力画像ＷＩＭを検出することが可能となる。なお、光電変換素子４１は、表示制御液晶層１１の画素に対応させて配置することが望ましい。つまり、液晶表示部１０は、フォトセンサ内蔵の液晶表示装置で構成してある。
【００７４】
第１視認方向入力画像検出部４０ｆが検出した第１視認方向入力画像ＷＩＭｆは、画像表示信号生成部５０へ送信される。画像表示信号生成部５０は、第１視認方向入力画像ＷＩＭｆに画像演算処理を施して第１視認方向入力画像ＷＩＭｆに対応する画像表示信号Ｓｄｉｍを生成する。
【００７５】
生成された画像表示信号Ｓｄｉｍは、画像表示信号生成部５０から液晶駆動部１３へ送信され、液晶駆動部１３は、画像表示信号Ｓｄｉｍに応じて表示制御液晶層１１を駆動する。液晶駆動部１３によって駆動された表示制御液晶層１１は、第１視認方向入力画像ＷＩＭｆに対応させた第１視認方向表示画像ＤＩＭｆを表示（図２Ｂ）することが可能となる。
【００７６】
つまり、第１視認方向操作者ＯＰｆは、第１視認方向ＥＤｆ（第１視認方向入力許容領域３１ｆ）から入力した第１視認方向入力画像ＷＩＭｆに対応する第１視認方向表示画像ＤＩＭｆを第１視認方向ＥＤｆ（第１表示領域１０ｆ）で視認することが可能となる。
【００７７】
図２Ｃは、図１Ｂに示した液晶表示電子機器の領域Ｙ２（第２表示領域、第２視認方向入力許容領域）の断面状態を拡大して第２視認方向での画像の入力状態を概念的に示す入力概念説明図である。図２Ｄは、図２Ｃで入力した画像を第２視認方向で表示／視認するときの表示状態を概念的に示す表示概念説明図である。なお、領域Ｙ２は、領域Ｙ１に対して液晶表示部１０での領域が異なるのみで、基本的な構成は、領域Ｙ１（図２Ａ、図２Ｂ）と同様であるので主に異なる事項について説明する。
【００７８】
図１Ｂに示した液晶表示電子機器の領域Ｙ２は、液晶表示部１０の第２視認方向入力許容領域３１ｓでの断面に対応する。したがって、表面側から、画像入力部３０、視差制御部２０、液晶表示部１０（第２表示領域１０ｓ）、バックライト１５が順次重ねられた状態となっている。
【００７９】
また、第２視認方向入力許容領域３１ｓに対しては、第２視認方向ＥＤｓの第２視認方向操作者ＯＰｓが操作する第２発光型入力ペン３５ｓからの光信号ＬＳによって画像入力がなされる。
【００８０】
画像入力部３０は、第２発光型入力ペン３５ｓからの光信号ＬＳ（第２視認方向入力画像ＷＩＭｓ）の入力が許容される。光信号ＬＳは、視差制御部２０によって視差制御を受けた状態で通過（第２視認方向入力画像ＷＩＭｓに対応する光信号ＬＳのみが通過）し、液晶表示部１０のカラーフィルタ１４へ入射する。カラーフィルタ１４へ入射した光信号ＬＳは、液晶表示部１０の表示制御液晶層１１を通過して入力画像検出部４０（第２視認方向入力許容領域３１ｓに対応させた第２視認方向入力画像検出部４０ｓ）へ入力される。
【００８１】
第２視認方向入力画像検出部４０ｓは第２視認方向入力許容領域３１ｓで第２視認方向入力画像ＷＩＭｓとしての光信号ＬＳを受光し、検出する。つまり、第２視認方向入力画像検出部４０ｓは、第２視認方向入力画像ＷＩＭｓを検出することが可能となる（図２Ｃ）。なお、第２視認方向入力画像ＷＩＭｓは、第２発光型入力ペン３５ｓによる光信号ＬＳの軌跡に対応する。
【００８２】
視差制御部２０は、上述したとおり、視差制御液晶層２１を備え、光路のオンオフ（図上黒白反転で示す）制御によって光信号ＬＳに対する視差制御を実行する構成としてある。
【００８３】
画像入力部３０の表面と視差制御液晶層２１との間の距離Ｄｉｓ１は、上述したとおりである。
【００８４】
液晶表示部１０は、上述したとおり、液晶駆動部１３、カラーフィルタ１４を備える。視差制御液晶層２１と表示制御液晶層１１との間の距離Ｄｉｓ２は、上述したとおりである。
【００８５】
表示制御液晶層１１と液晶駆動部１３との間に、第２発光型入力ペン３５ｓからの光信号（第２視認方向入力画像ＷＩＭｓ）を受光して検出する入力画像検出部４０（第２視認方向入力画像検出部４０ｓ）が配置してある。入力画像検出部４０の表面と第２視認方向入力画像検出部４０ｓとの間の距離Ｄｉｓ３は、上述したとおりである。
【００８６】
入力画像検出部４０（第２視認方向入力画像検出部４０ｓ）は、発光型入力ペン３５（第２発光型入力ペン３５ｓ）で入力された入力画像ＷＩＭ（第２視認方向入力画像ＷＩＭｓ）を検出する光電変換素子４１を備える。したがって、容易かつ高精度に入力画像ＷＩＭを検出することが可能となる。なお、上述したとおり、光電変換素子４１は、表示制御液晶層１１の画素に対応させて配置することが望ましい。
【００８７】
第２視認方向入力画像検出部４０ｓが検出した第２視認方向入力画像ＷＩＭｓは、画像表示信号生成部５０へ送信される。画像表示信号生成部５０は、第２視認方向入力画像ＷＩＭｓに画像演算処理を施して第２視認方向入力画像ＷＩＭｓに対応する画像表示信号Ｓｄｉｍを生成する。
【００８８】
生成された画像表示信号Ｓｄｉｍは、画像表示信号生成部５０から液晶駆動部１３へ送信され、液晶駆動部１３は、画像表示信号Ｓｄｉｍに応じて表示制御液晶層１１を駆動する。液晶駆動部１３によって駆動された表示制御液晶層１１は、第２視認方向入力画像ＷＩＭｓに対応させた第２視認方向表示画像ＤＩＭｓを表示（図２Ｄ）することが可能となる。
【００８９】
つまり、第２視認方向操作者ＯＰｓは、第２視認方向ＥＤｓ（第２視認方向入力許容領域３１ｓ）から入力した第２視認方向入力画像ＷＩＭｓに対応する第２視認方向表示画像ＤＩＭｓを第２視認方向ＥＤｓ（第２表示領域１０ｓ）で視認することが可能となる。
【００９０】
上述したとおり、入力画像検出部４０は、第１視認方向入力許容領域３１ｆに入力された第１視認方向入力画像ＷＩＭｆを検出する第１視認方向入力画像検出部４０ｆと、第２視認方向入力許容領域３１ｓに入力された第２視認方向入力画像ＷＩＭｓを検出する第２視認方向入力画像検出部４０ｓとを備える。
【００９１】
したがって、第１視認方向入力許容領域３１ｆに第１視認方向入力画像検出部４０ｆを対応させ、第２視認方向入力許容領域３１ｓに第２視認方向入力画像検出部４０ｓを対応させることから、入力された入力画像ＷＩＭ（第１視認方向入力画像ＷＩＭｆ／第２視認方向入力画像ＷＩＭｓ）を第１視認方向入力画像検出部４０ｆおよび第２視認方向入力画像検出部４０ｓでそれぞれ別々に検出することが可能となり、画像入力の混同を防止して画像入力を正確に実行できるので、操作性、機能性の良い液晶表示電子機器１とすることができる。なお、第１視認方向入力画像検出部４０ｆおよび第２視認方向入力画像検出部４０ｓを特に区別する必要が無い場合は、以下、単に入力画像検出部４０とすることがある。
【００９２】
図２Ｅは、図１Ｂに示した液晶表示電子機器の領域Ｙ１、Ｙ２の間にある領域Ｙ３（第３表示領域）の断面状態を拡大して第１視認方向および第２視認方向に対する表示／視認状態を概念的に示す機能概念説明図である。なお、領域Ｙ３は、領域Ｙ１、Ｙ２に対して液晶表示部１０での領域が異なるのみで、基本的な構成は、領域Ｙ１（図２Ａ、図２Ｂ）、領域Ｙ２（図２Ｃ、図２Ｄ）と同様であるので主に異なる事項について説明する。
【００９３】
第３表示領域１０ｔでは、画像表示信号Ｓｄｉｍに応じて液晶駆動部１３が表示制御液晶層１１を駆動する。したがって、表示制御液晶層１１は、画像表示信号Ｓｄｉｍに応じた表示状態となる。また、表示制御液晶層１１と画像入力部３０の表面（画像表示面１０ｄ）との間には、上述したとおり、視差制御部２０（視差制御液晶層２１）が配置してあることから、液晶表示部１０は、視差制御部２０による視差制御に対応した表示画像ＤＩＭを表示する。
【００９４】
つまり、第１視認方向ＥＤｆでは、視差制御部２０による視差制御によって第１視認方向表示画像ＤＩＭｆが表示（視認）され、第２視認方向ＥＤｓでは、視差制御部２０による視差制御によって第２視認方向表示画像ＤＩＭｓとして表示（視認）される。
【００９５】
したがって、第１視認方向ＥＤｆの第１視認方向操作者ＯＰｆは、第３表示領域１０ｔに表示された表示画像ＤＩＭとして第１視認方向表示画像ＤＩＭｆ（例えば、三角図形）を視認することが可能となり、第２視認方向ＥＤｓの第２視認方向操作者ＯＰｓは、第３表示領域１０ｔに表示された表示画像ＤＩＭとして第２視認方向表示画像ＤＩＭｓ（例えば、楕円図形）を視認することが可能となる。
【００９６】
上述したとおり、図２Ａ、図２Ｃの状態で、入力画像ＷＩＭの入力が許容される入力許容領域３１を有する画像入力部３０に入力された入力画像ＷＩＭを視差制御部２０を介して入力画像検出部４０で検出する（入力画像検出ステップ）こととなる。また、入力画像検出ステップで検出された入力画像ＷＩＭに画像演算処理を施して画像表示信号Ｓｄｉｍを生成する（画像表示信号生成ステップ）処理が実行される。
【００９７】
また、図２Ｂ、図２Ｄ、図２Ｅの状態で、画像表示信号Ｓｄｉｍに応じて表示画像ＤＩＭを画像表示面１０ｄへ表示する（画像表示ステップ）処理が実行される。
【００９８】
＜実施の形態２＞
図３Ａないし図３Ｋに基づいて本実施の形態に係る液晶表示電子機器での画像入力／画像表示方法について説明する。なお、本実施の形態に係る液晶表示電子機器の基本的な構成は実施の形態１に示した液晶表示電子機器１と同様であるので、実施の形態１に係る液晶表示電子機器１の符号をそのまま適用し、主に異なる事項について説明する。
【００９９】
本実施の形態は、表示制御液晶層１１および表示制御液晶層１１を駆動する液晶駆動部１３を有する液晶表示部１０と、液晶表示部１０に重畳して配置され液晶表示部１０が相互に異なる第１視認方向ＥＤｆおよび第２視認方向ＥＤｓに向けて異なる画像を表示するように液晶表示部１０に対して視差制御を施す視差制御部２０とを備える液晶表示電子機器１（実施の形態１参照）での画像入力／画像表示方法に関する。
【０１００】
図３Ａは、本発明の実施の形態２に係る液晶表示電子機器で画像入力／画像表示方法を実行する前の画像入力部／画像表示面の状態を拡大して示す拡大平面図である。
【０１０１】
実施の形態１で説明したとおり、画像入力部３０（入力許容領域３１）は、画像表示面１０ｄに対応している。なお、画像表示面１０ｄとしては、入力許容領域３１（第１視認方向入力許容領域３１ｆ、第２視認方向入力許容領域３１ｓ）に応じて、第１表示領域１０ｆ、第２表示領域１０ｓ、第３表示領域１０ｔのいずれかを対応させることが可能である。
【０１０２】
例えば、第１視認方向入力許容領域３１ｆに入力された第１視認方向入力画像ＷＩＭｆは、第１表示領域１０ｆ、第３表示領域１０ｔ、第２表示領域１０ｓのいずれかで表示することが可能な構成としてある。また、第２視認方向入力許容領域３１ｓに入力された第２視認方向入力画像ＷＩＭｓは、第２表示領域１０ｓ、第３表示領域１０ｔ、第１表示領域１０ｆのいずれかで表示することが可能な構成としてある。
【０１０３】
図３Ａでは画像入力がされる前であるから、発光型入力ペン３５による画像入力がされない状態であり、画像表示面１０ｄには入力画像ＷＩＭに対応する表示画像ＤＩＭは表示されない。
【０１０４】
図３Ｂは、本発明の実施の形態２に係る液晶表示電子機器で画像入力／画像表示方法を実行するときの画像入力部への発光型入力ペンによる入力状態を拡大して示す拡大平面図である。
【０１０５】
操作者ＯＰは、発光型入力ペン３５を用いて画像入力部３０（入力許容領域３１）へ、例えば英文字「Ａ」を手書き入力する。手書き入力した「Ａ」の軌跡を入力画像ＷＩＭとして示す。発光型入力ペン３５によって手書き入力された「Ａ」に対応する光信号ＬＳは、入力画像検出部４０へ入射され、検出される。
【０１０６】
図３Ｃは、本発明の実施の形態２に係る液晶表示電子機器で画像入力／画像表示方法を実行するときの画像入力部へ入力された入力画像に対する画像演算処理の状態を拡大して示す拡大平面図である。
【０１０７】
入力画像ＷＩＭの入力が許容される入力許容領域３１（例えば、第１視認方向入力許容領域３１ｆ）を有する画像入力部３０に入力された入力画像ＷＩＭを、視差制御部２０を介して入力画像検出部４０で検出する（入力画像検出ステップ）。
【０１０８】
つまり、入力画像検出部４０で検出された入力画像ＷＩＭの状態を示す。対応する画素の大きさに応じた画像が入力画像ＷＩＭとして認識され、検出される。なお、マトリックス状に配置された画素による輪郭での凹凸を画像演算処理によって修正した状態を示してある。
【０１０９】
なお、図３Ｃに示した状態は、画像演算処理の状態を参考に示すものであり、実際の画像表示面１０ｄに表示する必要は無く、実際には表示されない。
【０１１０】
図３Ｄは、本発明の実施の形態２に係る液晶表示電子機器で画像入力／画像表示方法を実行するときの画像入力部へ入力された入力画像に対する画像演算処理の状態を拡大して示す拡大平面図である。
【０１１１】
ここでは、例えば画像演算処理として、入力画像ＷＩＭの中心線に対して２値化した状態を示す。つまり、必要な画像演算処理を施す。
【０１１２】
なお、図３Ｄに示した状態は、図３Ｃと同様に画像演算処理の状態を参考に示すものであり、実際の画像表示面１０ｄに表示する必要は無く、実際には表示されない状態とすることが可能である。
【０１１３】
図３Ｅは、本発明の実施の形態２に係る液晶表示電子機器で画像入力／画像表示方法を実行するときの画像入力部へ入力された入力画像に対する画像演算処理の状態を拡大して示す拡大平面図である。
【０１１４】
２値化した入力画像ＷＩＭの中心線に対して、画像演算処理を施し、所定の幅を持たせた外周線（輪郭線）ＰＩＭ１を形成する。
【０１１５】
なお、図３Ｅに示した状態は、図３Ｃ、図３Ｄと同様に画像演算処理の状態を参考に示すものであり、実際の画像表示面１０ｄに表示する必要は無く、実際には表示されない状態とすることが可能である。
【０１１６】
図３Ｆは、本発明の実施の形態２に係る液晶表示電子機器で画像入力／画像表示方法を実行するときの画像入力部へ入力された入力画像に対する画像演算処理の状態を拡大して示す拡大平面図である。
【０１１７】
外周線ＰＩＭ１に基づいて、線分の始点、終点、連結点を抽出し、基本線分ＰＩＭ２を求める。
【０１１８】
なお、図３Ｆに示した状態は、図３Ｃ〜図３Ｅと同様に画像演算処理の状態を参考に示すものであり、実際の画像表示面１０ｄに表示する必要は無く、実際には表示されない状態とすることが可能である。
【０１１９】
図３Ｇは、本発明の実施の形態２に係る液晶表示電子機器で画像入力／画像表示方法を実行するときの画像入力部へ入力された入力画像に対する画像演算処理を施して画像表示面へ表示した表示画像の状態を拡大して示す拡大平面図である。
【０１２０】
抽出された基本線分ＰＩＭ２に基づいて、文字変換を実行する。ここでは、図３Ｆで求めた基本線分ＰＩＭ２に基づいて、入力画像ＷＩＭは、英文字「Ａ」に変換され、表示画像ＤＩＭとして画像表示面１０ｄ（例えば、第３表示領域１０ｔ）に表示された状態を示す。
【０１２１】
つまり、この過程での画像演算処理は、入力画像検出ステップで検出された入力画像ＷＩＭに画像演算処理を施して画像表示信号Ｓｄｉｍを生成する（画像表示信号生成ステップ）処理が実行される。
【０１２２】
また、画像表示信号Ｓｄｉｍに応じて表示画像ＤＩＭを画像表示面１０ｄへ表示する（画像表示ステップ）処理が実行される。
【０１２３】
なお、画像表示面１０ｄとしては、第３表示領域１０ｔ以外の第１表示領域１０ｆ、第２表示領域１０ｓを選択して表示することも可能である。このような選択的な処理は画像演算処理を適宜実施することにより実行することが可能である。
【０１２４】
図３Ｈは、本発明の実施の形態２に係る液晶表示電子機器で画像入力／画像表示方法を実行するときの画像入力部へ入力された入力画像に対する画像演算処理を施して画像表示面へ表示した表示画像の状態を拡大して示す拡大平面図である。
【０１２５】
表示画像ＤＩＭとして表示された英文字「Ａ」は、例えばフォントを選択することが可能な状態とした場合を示す。フォントの選択は、操作部６０を適宜活用して実行させることが可能である。
【０１２６】
ここでは、画像表示面１０ｄ（例えば、第３表示領域１０ｔ）での見やすさを考慮して、表示画像ＤＩＭは、太字フォントとして画像表示面１０ｄ（例えば、第３表示領域１０ｔ）に表示された状態を示す。
【０１２７】
なお、この過程での画像演算処理は、画像表示信号生成ステップおよび画像表示ステップとして扱うことが可能である。
【０１２８】
図３Ｊは、本発明の実施の形態２に係る液晶表示電子機器で画像入力／画像表示方法を実行するときの画像入力部へ入力された入力画像に対する画像演算処理を施して画像表示面へ表示した表示画像を第１視認方向から視認した状態として拡大して示す拡大平面図である。
【０１２９】
画像表示面１０ｄ（例えば、第３表示領域１０ｔ）に表示された表示画像ＤＩＭ（第１視認方向表示画像ＤＩＭｆ）は、上述したとおり、英文字「Ａ」として表示されている。
【０１３０】
図３Ｋは、本発明の実施の形態２に係る液晶表示電子機器で画像入力／画像表示方法を実行するときの画像入力部へ入力された入力画像に対する画像演算処理を施して画像表示面へ表示した表示画像を第２視認方向から視認した状態として拡大して示す拡大平面図である。
【０１３１】
本実施の形態では、入力画像ＷＩＭに対して１８０度回転させる画像演算処理（画像回転処理）を施し、第２視認方向表示画像ＤＩＭｓを形成した状態としてある。したがって、画像表示面１０ｄ（例えば、第３表示領域１０ｔ）に表示された表示画像ＤＩＭ（第２視認方向表示画像ＤＩＭｓ）は、英文字「Ａ」として表示されている。
【０１３２】
つまり、第１視認方向ＥＤｆの方向から見たと仮定すれば１８０度回転（反転）した英文字「Ａ」となっている。なお、実施の形態１で示したとおり、反転した英文字「Ａ」は第２視認方向ＥＤｓからのみ視認可能であり、第１視認方向ＥＤｆから視認することはできない構成としてある。
【０１３３】
なお、上述した画像演算処理は、実施の形態４で説明する画像演算処理部６で実行することが可能である。また、画像回転処理は、実施の形態４で説明する画像回転処理部６ｔで実行することが可能である。
【０１３４】
上述したとおり、本実施の形態に係る画像入力画像表示方法では、入力画像ＷＩＭの入力が許容される入力許容領域３１を有する画像入力部３０に入力された入力画像ＷＩＭを視差制御部２０を介して検出する入力画像検出ステップと、入力画像検出ステップで検出された入力画像ＷＩＭに画像演算処理を施して画像表示信号Ｓｄｉｍを生成する画像表示信号生成ステップと、画像表示信号Ｓｄｉｍに応じて表示画像ＤＩＭを表示する画像表示ステップとを備える。
【０１３５】
したがって、第１視認方向ＥＤｆおよび第２視認方向ＥＤｓに対応させて視差制御部２０で分離した入力画像ＷＩＭ（第１視認方向入力画像ＷＩＭｆ／第２視認方向入力画像ＷＩＭｓ）を検出することから、分離して検出した入力画像ＷＩＭに応じて生成した画像表示信号Ｓｄｉｍによって表示制御液晶層１１を駆動することが可能となり、第１視認方向ＥＤｆおよび第２視認方向ＥＤｓで分離した入力画像ＷＩＭに対応する画像を対応する第１視認方向ＥＤｆまたは第２視認方向ＥＤｓでそれぞれ表示することができるので、複数操作者ＯＰに対応した機能的な画像入力および画像表示が可能な優れた画像入力画像表示方法とすることができる。
【０１３６】
＜実施の形態３＞
図４および図５Ａないし図５Ｅに基づいて本実施の形態に係る液晶表示電子機器およびその液晶表示電子機器での画像入力／画像表示方法について説明する。本実施の形態に係る液晶表示電子機器の基本的な構成は実施の形態１に示した液晶表示電子機器１と同様であるので、実施の形態１に係る液晶表示電子機器１の符号をそのまま適用し、主に異なる事項について説明する。
【０１３７】
図４は、本発明の実施の形態３に係る液晶表示電子機器の概略構成を概念的に示す平面図である。なお、説明の都合上、第１視認方向ＥＤｆと第２視認方向ＥＤｓとの図上の位置関係を実施の形態１（図１Ａ）の場合と逆にしている。
【０１３８】
本実施の形態に係る液晶表示電子機器１は、実施の形態１、実施の形態２と同様、液晶表示部１０と、液晶表示部１０に対して視差制御を施す視差制御部２０とを備える。
【０１３９】
液晶表示部１０は、第１視認方向入力許容領域３１ｆに対応して配置され第１視認方向入力許容領域３１ｆに入力された第１視認方向入力画像ＷＩＭｆに対応する第１入力対応表示画像ＩＤＩＭｆを第１視認方向表示画像ＤＩＭｆとして表示する第１表示領域１０ｆと、第２視認方向入力許容領域３１ｓに対応して配置され第２視認方向入力許容領域３１ｓに入力された第２視認方向入力画像ＷＩＭｓに対応する第２入力対応表示画像ＩＤＩＭｓを第２視認方向表示画像ＤＩＭｓとして表示する第２表示領域１０ｓとを備える。
【０１４０】
したがって、第１視認方向入力許容領域３１ｆへの第１視認方向入力画像ＷＩＭｆまたは第２視認方向入力許容領域３１ｓへの第２視認方向入力画像ＷＩＭｓに対応させた表示画像ＤＩＭ（第１視認方向表示画像ＤＩＭｆとしての第１入力対応表示画像ＩＤＩＭｆまたは第２視認方向表示画像ＤＩＭｓとしての第２入力対応表示画像ＩＤＩＭｓ）をそれぞれ表示することが可能となり、入力画像ＷＩＭを容易に確認できる利便性の良い液晶表示電子機器１とすることができる。
【０１４１】
なお、第１入力対応表示画像ＩＤＩＭｆおよび第２入力対応表示画像ＩＤＩＭｓを特に区別する必要が無い場合は、以下、単に入力対応表示画像ＩＤＩＭとすることがある。
【０１４２】
また、液晶表示部１０は、第１表示領域１０ｆと第２表示領域１０ｓとの間に第３表示領域１０ｔを備え、第３表示領域１０ｔは、第１表示領域１０ｆに表示された第１入力対応表示画像ＩＤＩＭｆを複製した第１入力複製表示画像ＴＤＩＭｆを第１視認方向表示画像ＤＩＭｆとして表示し、第２表示領域１０ｓに表示された第２入力対応表示画像ＩＤＩＭｓを複製した第２入力複製表示画像ＴＤＩＭｓを第２視認方向表示画像ＤＩＭｓとして表示する構成としてある。
【０１４３】
したがって、第１表示領域１０ｆおよび第２表示領域１０ｓとは異なる第３表示領域１０ｔで表示画像ＤＩＭ（第１入力対応表示画像ＩＤＩＭｆを複製した第１入力複製表示画像ＴＤＩＭｆ、第２入力対応表示画像ＩＤＩＭｓを複製した第２入力複製表示画像ＴＤＩＭｓ）を表示することにより、第３表示領域１０ｔで第１視認方向ＥＤｆからは第１入力複製表示画像ＴＤＩＭｆを第１視認方向表示画像ＤＩＭｆとして視認し、第２視認方向ＥＤｓからは第２入力複製表示画像ＴＤＩＭｓを第２視認方向表示画像ＤＩＭｓとして視認することが可能となることから、第３表示領域１０ｔを共通表示領域して画像交換形式での情報交換を行なうことができ、汎用性、機能性に優れた液晶表示電子機器とすることができる。
【０１４４】
なお、第１入力複製表示画像ＴＤＩＭｆおよび第２視認方向複製表示画像ＴＤＩＭｓを特に区別する必要が無い場合は、以下、単に複製表示画像ＴＤＩＭとすることがある。
【０１４５】
入力許容領域３１は、上述したとおり、相互に対向する位置に配置され、第１視認方向ＥＤｆに対応する第１視認方向入力許容領域３１ｆ、および、第２視認方向ＥＤｓに対応する第２視認方向入力許容領域３１ｓを備える。また、画像表示面１０ｄは、第１表示領域１０ｆ、第２表示領域１０ｓ、および第３表示領域１０ｔを含む構成とされる。
【０１４６】
図５Ａは、図４に示した液晶表示電子機器での画像入力／画像表示方法の過程を説明する説明図であり、（Ａ）は第１視認方向入力許容領域へ画像入力をした状態を示し、（Ｂ）は第１視認方向入力許容領域へ入力された画像が表示された状態を示し、（Ｃ）は第２視認方向入力許容領域へ画像入力をした状態を示し、（Ｄ）は第２視認方向入力許容領域へ入力された画像が表示された状態を示す。なお、図中の矢印は理解を助けるための参考表示であり、以下の図についても同様である。
【０１４７】
まず、第１視認方向ＥＤｆに対応する第１視認方向操作者ＯＰｆの手書き入力により、第１視認方向入力許容領域３１ｆへ第１視認方向入力画像ＷＩＭｆが入力される（図５Ａ（Ａ））。入力された第１視認方向入力画像ＷＩＭｆは、画像演算処理部６（入力画像処理部６ｆ）で所定の画像演算処理を施され、第１視認方向入力画像ＷＩＭｆに対応する第１入力対応表示画像ＩＤＩＭｆが第１視認方向入力許容領域３１ｆに対応して配置された第１表示領域１０ｆに表示される（図５Ａ（Ｂ））。
【０１４８】
つまり、入力画像ＷＩＭの入力が許容される入力許容領域３１を有する画像入力部３０に入力された入力画像ＷＩＭを視差制御部２０を介して検出する入力画像検出ステップと、入力画像検出ステップで検出された入力画像ＷＩＭに画像演算処理を施して画像表示信号Ｓｄｉｍを生成する画像表示信号生成ステップと、画像表示信号Ｓｄｉｍに応じて第１視認方向表示画像ＤＩＭｆ／第２視認方向表示画像ＤＩＭｓを表示する画像表示ステップとが実行される。
【０１４９】
また、第１表示領域１０ｆに表示された第１入力対応表示画像ＩＤＩＭｆを複製した第１入力複製表示画像ＴＤＩＭｆが第１視認方向表示画像ＤＩＭｆとして第３表示領域１０ｔに表示される（図５Ａ（Ｂ））。なお、複製は、画像演算処理部６（画像複製処理部６ｓ）で所定の画像演算処理を施すことによって実行される。
【０１５０】
また、第１入力複製表示画像ＴＤＩＭｆを画像演算処理部６（画像回転処理部６ｔ）で１８０度回転させた第１回転表示画像ＲＤＩＭｆを第２視認方向表示画像ＤＩＭｓとして第３表示領域１０ｔに表示する（図５Ａ（Ｂ））。
【０１５１】
次に、第２視認方向ＥＤｓに対応する第２視認方向操作者ＯＰｓの手書き入力により、第２視認方向入力許容領域３１ｓへ第２視認方向入力画像ＷＩＭｓが入力される（図５Ａ（Ｃ））。入力された第２視認方向入力画像ＷＩＭｓは、画像演算処理部６（入力画像処理部６ｆ）で所定の画像演算処理を施され、第２視認方向入力画像ＷＩＭｓに対応する第２入力対応表示画像ＩＤＩＭｓが第２視認方向入力許容領域３１ｓに対応して配置された第２表示領域１０ｓに表示される（図５Ａ（Ｄ））。
【０１５２】
また、第２表示領域１０ｓに表示された第２入力対応表示画像ＩＤＩＭｓを複製した第２入力複製表示画像ＴＤＩＭｓが第２視認方向表示画像ＤＩＭｓとして第３表示領域１０ｔに表示される（図５Ａ（Ｄ））。なお、複製は、画像演算処理部６（画像複製処理部６ｓ）で所定の画像演算処理を施すことによって実行される。
【０１５３】
また、第２入力複製表示画像ＴＤＩＭｓを画像演算処理部６（画像回転処理部６ｔ）で１８０度回転させた第２回転表示画像ＲＤＩＭｓを第１視認方向表示画像ＤＩＭｆとして第３表示領域１０ｔに表示する（図５Ａ（Ｄ））。
【０１５４】
つまり、本実施の形態に係る液晶表示電子機器１（液晶表示部１０）は、第１視認方向入力許容領域３１ｆに対応して配置され第１視認方向入力許容領域３１ｆに入力された第１視認方向入力画像ＷＩＭｆに対応する第１入力対応表示画像ＩＤＩＭｆを第１視認方向表示画像ＤＩＭｆとして表示する第１表示領域１０ｆと、第２視認方向入力許容領域３１ｓに対応して配置され第２視認方向入力許容領域３１ｓに入力された第２視認方向入力画像ＷＩＭｓに対応する第２入力対応表示画像ＩＤＩＭｓを第２視認方向表示画像ＤＩＭｓとして表示する第２表示領域１０ｓとを備える。
【０１５５】
したがって、第１視認方向入力許容領域３１ｆへの第１視認方向入力画像ＷＩＭｆまたは第２視認方向入力許容領域３１ｓへの第２視認方向入力画像ＷＩＭｓに対応させた表示画像ＤＩＭ（第１視認方向表示画像ＤＩＭｆとしての第１入力対応表示画像ＩＤＩＭｆ、または第２視認方向表示画像ＤＩＭｓとしての第２入力対応表示画像ＩＤＩＭｓ）をそれぞれ表示することが可能となり、入力画像ＷＩＭを容易に確認できる利便性の良い液晶表示電子機器とすることができる。
【０１５６】
なお、第１回転表示画像ＲＤＩＭｆおよび第２回転表示画像ＲＤＩＭｓを特に区別する必要が無い場合は、以下、単に回転表示画像ＲＤＩＭとすることがある。
【０１５７】
また、液晶表示部１０は、第１表示領域１０ｆと第２表示領域１０ｓとの間に第３表示領域１０ｔを備え、第３表示領域１０ｔは、第１表示領域１０ｆに表示された第１入力対応表示画像ＩＤＩＭｆを複製した第１入力複製表示画像ＴＤＩＭｆを第１視認方向表示画像ＤＩＭｆとして表示し、第２表示領域１０ｓに表示された第２入力対応表示画像ＩＤＩＭｓを複製した第２入力複製表示画像ＴＤＩＭｓを第２視認方向表示画像ＤＩＭｓとして表示する構成としてある。
【０１５８】
したがって、第１表示領域１０ｆおよび第２表示領域１０ｓとは異なる第３表示領域１０ｔで表示画像ＤＩＭ（第１入力対応表示画像ＩＤＩＭｆを複製した第１入力複製表示画像ＴＤＩＭｆ、第２入力対応表示画像ＩＤＩＭｓを複製した第２入力複製表示画像ＴＤＩＭｓ）を表示することにより、第３表示領域１０ｔで第１視認方向ＥＤｆからは第１入力複製表示画像ＴＤＩＭｆを視認し、第２視認方向ＥＤｓからは第２入力複製表示画像ＴＤＩＭｓを視認することが可能となることから、第３表示領域１０ｔを共通表示領域として画像交換形式での情報交換を行なうことができ、汎用性、機能性に優れた液晶表示電子機器とすることができる。
【０１５９】
また、第３表示領域１０ｔは、第２入力複製表示画像ＴＤＩＭｓを１８０度回転させた第２回転表示画像ＲＤＩＭｓを第１視認方向表示画像ＤＩＭｆとして表示し、第１入力複製表示画像ＴＤＩＭｆを１８０度回転させた第１回転表示画像ＲＤＩＭｆを第２視認方向表示画像ＤＩＭｓとして表示する構成としてある。
【０１６０】
したがって、一方（第１視認方向ＥＤｆ／第２視認方向ＥＤｓ）の操作者ＯＰ（第１視認方向操作者ＯＰｆ、第２視認方向操作者ＯＰｓ）は、自己が入力した入力画像ＷＩＭ（第１視認方向入力画像ＷＩＭｆ／第２視認方向入力画像ＷＩＭｓ）に対応する表示画像ＤＩＭ（第１入力対応表示画像ＩＤＩＭｆを複製した第１入力複製表示画像ＴＤＩＭｆ／第２入力対応表示画像ＩＤＩＭｓを複製した第２入力複製表示画像ＴＤＩＭｓ）に加えて、対向する他方（第２視認方向ＥＤｓ／第１視認方向ＥＤｆ）の操作者ＯＰ（第２視認方向操作者ＯＰｓ／第１視認方向操作者ＯＰｆ）が入力した入力画像ＷＩＭ（第２視認方向入力画像ＷＩＭｓ／第１視認方向入力画像ＷＩＭｆ）に対応する表示画像ＤＩＭ（第２入力対応表示画像ＩＤＩＭｓを複製した第２入力複製表示画像ＴＤＩＭｓ／第１入力対応表示画像ＩＤＩＭｆを複製した第１入力複製表示画像ＴＤＩＭｆ）を１８０度回転させた回転表示画像ＲＤＩＭ（第２回転表示画像ＲＤＩＭｓ／第１回転表示画像ＲＤＩＭｆ）を容易かつ正確に視認することが可能となり、操作性、視認性の良い液晶表示電子機器とすることができる。
【０１６１】
上述したとおり、第１表示領域１０ｆに表示された第１入力対応表示画像ＩＤＩＭｆ、第３表示領域１０ｔに表示された第１入力複製表示画像ＴＤＩＭｆ、第２回転表示画像ＲＤＩＭｓは、第１視認方向ＥＤｆから視認可能であり、第１視認方向表示画像ＤＩＭｆを構成する。
【０１６２】
また、第２表示領域１０ｓに表示された第２入力対応表示画像ＩＤＩＭｓ、第３表示領域１０ｔに表示された第２入力複製表示画像ＴＤＩＭｓ、第１回転表示画像ＲＤＩＭｆは、第２視認方向ＥＤｓから視認可能であり、第２視認方向表示画像ＤＩＭｓを構成する。
【０１６３】
上述したとおり、図５Ａで示した液晶表示電子機器１に係る画像入力／画像表示方法では、入力画像検出ステップ、画像表示信号生成ステップ、画像表示ステップが実行される。
【０１６４】
図５Ｂは、図４に示した液晶表示電子機器での画像入力／画像表示方法の過程を説明する説明図であり、（Ａ）は第１視認方向入力許容領域へ画像入力をした状態を示し、（Ｂ）は第１視認方向入力許容領域へ入力された画像が表示された状態を示し、（Ｃ）は第２視認方向入力許容領域へ画像入力をした状態を示し、（Ｄ）は第２視認方向入力許容領域へ入力された画像が表示された状態を示す。
【０１６５】
本実施例の基本的な構成は、図５Ａと同様であるので、主に異なる事項について説明する。
【０１６６】
本実施例では、図５Ｂ（Ｂ）で示すとおり、第３表示領域１０ｔに第１回転表示画像ＲＤＩＭｆを表示する。このとき併せて、第１回転表示画像ＲＤＩＭｆを第１表示領域１０ｆに第２視認方向表示画像ＤＩＭｓとして表示する。また、図５Ｂ（Ｄ）で示すとおり、第３表示領域１０ｔに第２回転表示画像ＲＤＩＭｓを表示する。このとき併せて、第２回転表示画像ＲＤＩＭｓを第２表示領域１０ｓに第１視認方向表示画像ＤＩＭｆとして表示する。
【０１６７】
なお、この表示形態では、対向する反対側の入力画像を異なる２つの表示領域でそれぞれ表示することから、表示領域で表示態様を変更することが可能となる。例えば、対向する相互間で言語種類の変更（翻訳）を実行する場合に表示領域で適用する言語種類を変更することが可能となり、機能性を向上させることが可能となる（図５Ｃ参照）。
【０１６８】
つまり、第２回転表示画像ＲＤＩＭｓを第２表示領域１０ｓに第１視認方向表示画像ＤＩＭｆとして表示し、第１回転表示画像ＲＤＩＭｆを第１表示領域１０ｆに第２視認方向表示画像ＤＩＭｓとして表示する構成としてある。
【０１６９】
したがって、対向する側の入力画像ＷＩＭ（第１視認方向入力画像ＷＩＭｆ／第２視認方向入力画像ＷＩＭｓ）を異なる表示領域で重複して表示することが可能となることから、例えば対向する相互間で言語変換を実行する場合に表示領域に応じて異なる種類の言語を適用することが可能となるので、利用上の機能性を向上させた液晶表示電子機器１とすることができる。
【０１７０】
図５Ｃは、図４に示した液晶表示電子機器での画像入力／画像表示方法の過程を説明する説明図であり、（Ａ）は第１視認方向入力許容領域へ画像入力をした状態を示し、（Ｂ）は第１視認方向入力許容領域へ入力された画像が表示された状態を示し、（Ｃ）は第２視認方向入力許容領域へ画像入力をした状態を示し、（Ｄ）は第２視認方向入力許容領域へ入力された画像が表示された状態を示す。
【０１７１】
本実施例の基本的な構成は、図５Ｂと同様であるので、主に異なる事項について説明する。
【０１７２】
本実施例では、第１視認方向入力許容領域３１ｆに入力された第１視認方向入力画像ＷＩＭｆが第１言語（例えば、日本語）で構成され、第２視認方向入力許容領域３１ｓに入力された第２視認方向入力画像ＷＩＭｓが第１言語と異なる種類の第２言語（例えば、英語）で構成された場合に、第３表示領域１０ｔに表示される回転表示画像ＲＤＩＭは、入力画像ＷＩＭの言語を対向する相手方の言語に翻訳して表示する形態としてある。
【０１７３】
つまり、第３表示領域１０ｔに表示される第１回転表示画像ＲＤＩＭｆは第１言語を翻訳した第２言語で表示され、また、第３表示領域１０ｔに表示される第２回転表示画像ＲＤＩＭｓは第２言語を翻訳した第１言語で表示される構成としてある。
【０１７４】
なお、第１表示領域１０ｆに表示される第１回転表示画像ＲＤＩＭｆ（第２視認方向表示画像ＤＩＭｓ）、第２表示領域１０ｓに表示される第２回転表示画像ＲＤＩＭｓ（第１視認方向表示画像ＤＩＭｆ）は、翻訳せずに入力画像ＷＩＭの言語（翻訳前の言語）で表示することが可能である。
【０１７５】
したがって、入力画像ＷＩＭ（第１視認方向入力画像ＷＩＭｆ、第２視認方向入力画像ＷＩＭｓ）が相互に異なる種類の言語で入力された場合、第１視認方向表示画像ＤＩＭｆ（第２視認方向複製表示画像ＴＤＩＭｓを回転させた第２回転表示画像ＲＤＩＭｓ）および第２視認方向表示画像ＤＩＭｓ（第１入力複製表示画像ＴＤＩＭｆを回転させた第１回転表示画像ＲＤＩＭｆ）は、それぞれ他方の言語を翻訳して表示することから、異種言語を適用する操作者ＯＰ相互間での情報伝達（異種言語の翻訳による情報交換）を容易に実行することが可能となる。
【０１７６】
また、第２表示領域１０ｓに第２回転表示画像ＲＤＩＭｓを第１視認方向表示画像ＤＩＭｆとして表示し、第１表示領域１０ｆに第１回転表示画像ＲＤＩＭｆを第２視認方向表示画像ＤＩＭｓとして表示することから、第２回転表示画像ＲＤＩＭｓおよび第１回転表示画像ＲＤＩＭｆを翻訳しない状態で相手方に表示することが可能となる。したがって、相手方に対して、原語および翻訳語の両方を表示し、視認させることが可能となる。
【０１７７】
なお、翻訳は機能対応処理部７が備える翻訳処理部７ｆを適用して実行することが可能である。
【０１７８】
上述したとおり、本実施の形態に係る液晶表示電子機器１の画像入力／画像表示方法では、第１視認方向入力許容領域３１ｆに入力された第１視認方向入力画像ＷＩＭｆが第１言語で構成され、第２視認方向入力許容領域３１ｓに入力された第２視認方向入力画像ＷＩＭｓが第１言語と異なる種類の第２言語で構成された場合に、画像表示ステップで、第１言語を翻訳した第２言語で第１回転表示画像ＲＤＩＭｆを表示し、第２言語を翻訳した第１言語で第２回転表示画像ＲＤＩＭｓを表示する。
【０１７９】
図５Ｄは、図５Ｃの内容を具体化して示す説明図であり、（Ａ）は第１視認方向入力許容領域へ画像入力をした状態を示し、（Ｂ）は第１視認方向入力許容領域へ入力された画像が表示された状態を示し、（Ｃ）は第２視認方向入力許容領域へ画像入力をした状態を示し、（Ｄ）は第２視認方向入力許容領域へ入力された画像が表示された状態を示す。
【０１８０】
本実施例の基本的な構成は、図５Ｂ、図５Ｃと同様であるので、主に異なる事項について説明する。なお、第１言語、第２言語など利用上の状況は図５Ｃの場合と同様である。
【０１８１】
先ず、第１視認方向ＥＤｆで第１視認方向操作者ＯＰｆによって第１視認方向入力画像ＷＩＭｆとしての第１言語「本」が第１視認方向入力許容領域３１ｆへ入力される（図５Ｄ（Ａ））。
【０１８２】
入力された「本」は、第１表示領域１０ｆで第１入力対応表示画像ＩＤＩＭｆとして表示され、第３表示領域１０ｔで第１入力複製表示画像ＴＤＩＭｆとして表示される（図５Ｄ（Ｂ））。また、第３表示領域１０ｔには第１回転表示画像ＲＤＩＭｆが表示され、第１表示領域１０ｆには第１回転表示画像ＲＤＩＭｆが表示される（同前）。
【０１８３】
本実施例では、第３表示領域１０ｔでの相手方の視認方向での表示に際し、図５Ｃの場合と同様に翻訳を実行する。したがって、第３表示領域１０ｔに表示される第１回転表示画像ＲＤＩＭｆは第１言語「本」を翻訳した第２言語「ＢＯＯＫ」で表示される構成としてある。
【０１８４】
したがって、第２視認方向操作者ＯＰｓは、第１視認方向操作者ＯＰｆが入力した情報を容易に把握することが可能となり、操作者ＯＰ相互間での情報交換を極めて容易かつ正確に実行することが可能となる。
【０１８５】
次に、第２視認方向ＥＤｓで第２視認方向操作者ＯＰｓによって第２視認方向入力画像ＷＩＭｓとしての第２言語「ＴＲＥＥ」が第２視認方向入力許容領域３１ｓへ入力される（図５Ｄ（Ｃ））。
【０１８６】
入力された「ＴＲＥＥ」は、第２表示領域１０ｓで第２視認方向表示画像ＤＩＭｓとして表示され、第３表示領域１０ｔで第２視認方向複製表示画像ＴＤＩＭｓとして表示される（図５Ｄ（Ｄ））。また、第３表示領域１０ｔには第２回転表示画像ＲＤＩＭｓが表示され、第２表示領域１０ｓには第２回転表示画像ＲＤＩＭｓが表示される（同前）。
【０１８７】
したがって、第１視認方向操作者ＯＰｆは第１視認方向ＥＤｆから次の情報（表示画像）を視認することが可能となる。つまり、第１表示領域１０ｆで第１入力対応表示画像ＩＤＩＭｆとしての第１言語「本」を視認できる。第３表示領域１０ｔで第１入力複製表示画像ＴＤＩＭｆとしての第１言語「本」を認識できる。
【０１８８】
また、第１視認方向操作者ＯＰｆは第１視認方向ＥＤｆから次の情報（表示画像）を視認することが可能となる。つまり、第２視認方向操作者ＯＰｓが入力した第２言語「ＴＲＥＥ」の第２回転表示画像ＲＤＩＭｓとして「ＴＲＥＥ」を翻訳した第１言語「木」を第３表示領域１０ｔで視認できる。さらに、第２視認方向操作者ＯＰｓが入力した第２言語「ＴＲＥＥ」の第２回転表示画像ＲＤＩＭｓとして原語「ＴＲＥＥ」を第２表示領域１０ｓで視認できる。
【０１８９】
したがって、相手方が入力した情報（画像、言語）を原語および翻訳した状態で視認することが可能となり、相手方の情報を容易かつ正確に把握することが可能となる。
【０１９０】
他方の第２視認方向操作者ＯＰｓも第１視認方向操作者ＯＰｆと同様に相手方の情報（画像、言語）を視認することが可能となる。また、翻訳として、単語レベルの翻訳を例示したがこれに留まるものではない。
【０１９１】
図５Ｅは、図４に示した液晶表示電子機器での画像入力／画像表示方法の過程を説明する説明図であり、（Ａ）は第１視認方向入力許容領域へ画像入力をした状態を示し、（Ｂ）は第１視認方向入力許容領域へ入力された画像が表示された状態を示し、（Ｃ）は第２視認方向入力許容領域へ画像入力をした状態を示し、（Ｄ）は第２視認方向入力許容領域へ入力された画像が表示された状態を示す。
【０１９２】
本実施例の基本的な構成は、図５Ａと同様であるので、主に異なる事項について説明する。
【０１９３】
本実施例では、第１視認方向操作者ＯＰｆと第２視認方向操作者ＯＰｓとの間での問答（例えば、算数計算）を実行する場合を示す。
【０１９４】
まず、第１視認方向操作者ＯＰｆの手書き入力により、第１視認方向入力許容領域３１ｆへ第１視認方向入力画像ＷＩＭｆが入力される（図５Ｅ（Ａ））。つまり、質問式「１２＋３＝？」が入力される。
【０１９５】
入力された第１視認方向入力画像ＷＩＭｆは、第１入力対応表示画像ＩＤＩＭｆとして第１表示領域１０ｆに表示される（図５Ａ（Ｂ））。また、第１入力複製表示画像ＴＤＩＭｆが第１視認方向表示画像ＤＩＭｆとして第３表示領域１０ｔに表示される（図５Ｅ（Ｂ））。さらに、第１回転表示画像ＲＤＩＭｆが第３表示領域１０ｔに表示される（図５Ｅ（Ｂ））。
【０１９６】
つまり、第２視認方向操作者ＯＰｓは、第３表示領域１０ｔに表示された第１回転表示画像ＲＤＩＭｆによって質問式「１２＋３＝？」を視認することが可能となる。
【０１９７】
質問に対する回答を得た第２視認方向操作者ＯＰｓは、第２視認方向入力許容領域３１ｓへ第２視認方向入力画像ＷＩＭｓを入力する。つまり、回答としての数値「１５」が第２視認方向入力画像ＷＩＭｓとして入力される（図５Ｅ（Ｃ））。
【０１９８】
入力された第２視認方向入力画像ＷＩＭｓに対して、第２表示領域１０ｓに第２入力対応表示画像ＩＤＩＭｓが表示され、第３表示領域１０ｔに第２視認方向複製表示画像ＴＤＩＭｓ、第２回転表示画像ＲＤＩＭｓとして表示される（図５Ｅ（Ｄ））。
【０１９９】
したがって、第１視認方向操作者ＯＰｆは、第３表示領域１０ｔに表示された第２回転表示画像ＲＤＩＭｓによって回答としての数値「１５」を視認することが可能となる。
【０２００】
上述したとおり、本実施の形態に係る液晶表示電子機器１によって、操作者ＯＰ相互間での情報交換を実行することが可能となる。例えば、本実施の形態のような異種言語間での情報伝達（翻訳言語による情報交換）、学習機器、対戦式ゲーム機などへの適用が可能である。
【０２０１】
上述したとおり、本実施の形態に係る液晶表示電子機器１の画像入力／画像表示方法は、表示制御液晶層１１および表示制御液晶層１１を駆動する液晶駆動部１３を有する液晶表示部１０と、液晶表示部１０に重畳して配置され液晶表示部１０が第１視認方向ＥＤｆに向けて第１視認方向表示画像ＤＩＭｆを表示し、第２視認方向ＥＤｓに向けて第１視認方向表示画像ＤＩＭｆと異なる第２視認方向表示画像ＤＩＭｓを表示するように液晶表示部１０に対して視差制御を施す視差制御部２０とを備える液晶表示電子機器１での画像入力／画像表示方法に関する。
【０２０２】
本実施の形態に係る液晶表示電子機器１の画像入力／画像表示方法は、入力画像ＷＩＭの入力が許容される入力許容領域３１を有する画像入力部３０に入力された入力画像ＷＩＭを視差制御部２０を介して検出する入力画像検出ステップと、入力画像検出ステップで検出された入力画像ＷＩＭに画像演算処理を施して画像表示信号Ｓｄｉｍを生成する画像表示信号生成ステップと、画像表示信号Ｓｄｉｍに応じて第１視認方向表示画像ＤＩＭｆ／第２視認方向表示画像ＤＩＭｓを表示する画像表示ステップとを備える。
【０２０３】
したがって、第１視認方向ＥＤｆおよび第２視認方向ＥＤｓに対応させて視差制御部２０で分離した入力画像ＷＩＭを検出することから、分離して検出した入力画像ＷＩＭに応じて生成した画像表示信号Ｓｄｉｍによって表示制御液晶層１１を駆動することが可能となり、第１視認方向ＥＤｆおよび第２視認方向ＥＤｓで分離した入力画像ＷＩＭに対応する表示画像ＤＩＭ（第１視認方向表示画像ＤＩＭｆ／第２視認方向表示画像ＤＩＭｓ）を対応する第１視認方向ＥＤｆおよび第２視認方向ＥＤｓでそれぞれ表示することができるので、複数操作者ＯＰに対応した機能的な画像入力および画像表示が可能な優れた画像入力画像表示方法とすることができる。
【０２０４】
また、本実施の形態に係る液晶表示電子機器１の画像入力／画像表示方法では、入力許容領域３１は、相互に対向する位置に配置された第１視認方向入力許容領域３１ｆおよび第２視認方向入力許容領域３１ｓを備え、液晶表示部１０は、第１視認方向入力許容領域３１ｆに対応して配置され第１視認方向入力許容領域３１ｆに入力された第１視認方向入力画像ＷＩＭｆに対応する第１入力対応表示画像ＩＤＩＭｆを第１視認方向表示画像ＤＩＭｆとして表示する第１表示領域１０ｆと、第２視認方向入力許容領域３１ｓに対応して配置され第２視認方向入力許容領域３１ｓに入力された第２視認方向入力画像ＷＩＭｓに対応する第２入力対応表示画像ＩＤＩＭｓを第２視認方向表示画像ＤＩＭｓとして表示する第２表示領域１０ｓと、第１表示領域１０ｆに表示された第１入力対応表示画像ＩＤＩＭｆを複製した第１入力複製表示画像ＴＤＩＭｆを第１視認方向表示画像ＤＩＭｆとして表示し、第２表示領域１０ｓに表示された第２入力対応表示画像ＩＤＩＭｓを複製した第２入力複製表示画像ＴＤＩＭｓを第２視認方向表示画像ＤＩＭｓとして表示する第３表示領域１０ｔとを備え、画像表示ステップで、第２入力複製表示画像ＴＤＩＭｓを１８０度回転させた第２回転表示画像ＲＤＩＭｓを第１視認方向表示画像ＤＩＭｆとして第３表示領域１０ｔに表示し、第１入力複製表示画像ＴＤＩＭｆを１８０度回転させた第１回転表示画像ＲＤＩＭｆを第２視認方向表示画像ＤＩＭｓとして第３表示領域１０ｔに表示する。
【０２０５】
したがって、第１視認方向ＥＤｆおよび第２視認方向ＥＤｓそれぞれ一方で入力した入力画像ＷＩＭを他方での表示画像ＤＩＭとして表示することが可能となり、一方の操作者ＯＰが入力した入力画像ＷＩＭを他方の操作者ＯＰが容易かつ正確に表示画像ＤＩＭとして視認することが可能となることから、画像交換形式（対面形式）での情報交換が可能で、操作性、視認性の良い画像入力画像表示方法とすることができる。
【０２０６】
また、本実施の形態に係る液晶表示電子機器１の画像入力／画像表示方法では、第１視認方向入力許容領域３１ｆに入力された第１視認方向入力画像ＷＩＭｆが第１言語で構成され、第２視認方向入力許容領域３１ｓに入力された第２視認方向入力画像ＷＩＭｓが第１言語と異なる種類の第２言語で構成された場合に、画像表示ステップで、第１言語を翻訳した第２言語で第１回転表示画像ＲＤＩＭｆを表示し、第２言語を翻訳した第１言語で第２回転表示画像ＲＤＩＭｓを表示する。
【０２０７】
したがって、操作者が相互に異なる言語を用いる場合に、操作者相互間での画像交換（翻訳言語による情報交換）を容易かつ正確に図ることが可能となる。
【０２０８】
＜実施の形態４＞
図６に基づいて本実施の形態に係る液晶表示電子機器の構成について説明する。本実施の形態に係る液晶表示電子機器は、実施の形態１ないし実施の形態３に係る液晶表示電子機器１と同様であるので、実施の形態１ないし実施の形態３の説明を適宜適用して説明する。なお、第１視認方向ＥＤｆ、第２視認方向ＥＤｓいずれに対しても同様な構成とすることが可能であるので、以下では、視認方向は省略して説明する。
【０２０９】
図６は、本発明の実施の形態４に係る液晶表示電子機器の機能構成ブロックの概略を示すブロック図である。
【０２１０】
本実施の形態に係る液晶表示電子機器１は、機能構成部ロックとして、制御部５、画像演算処理部６、機能対応処理部７、記憶部８を備える。また、液晶表示部１０、液晶駆動部１３、視差制御部２０、画像入力部３０、入力画像検出部４０、画像表示信号生成部５０、操作部６０（操作入力インターフェイス６１）が適宜接続されている。
【０２１１】
制御部５は、中央処理装置（ＣＰＵ：Ｃｅｎｔｒａｌ  Ｐｒｏｃｅｓｓｉｎｇ  Ｕｎｉｔ）で構成され、予め記憶部８に記憶（インストール）されたコンピュータプログラムに基づいて、画像演算処理部６、機能対応処理部７、記憶部８、液晶表示部１０、液晶駆動部１３、視差制御部２０、画像入力部３０、入力画像検出部４０、画像表示信号生成部５０、操作部６０（操作入力インターフェイス６１）に対する制御および連係動作を実行する。
【０２１２】
画像演算処理部６は、入力画像検出部４０で検出された入力画像ＷＩＭに各種の画像演算処理を施す。つまり、例えば、実施の形態２で説明した各種の画像演算処理を実行する。画像演算処理は、基本的にコンピュータプログラムを適用して実行することが可能である。
【０２１３】
また、画像演算処理部６は、入力画像検出部４０で検出された入力画像ＷＩＭに画像演算処理を施して入力画像ＷＩＭに対応する画像表示信号Ｓｄｉｍを生成する画像表示信号生成部５０を併せて備える。また、入力画像処理部６ｆ、画像複製処理部６ｓ、画像回転処理部６ｔを備える。
【０２１４】
入力画像処理部６ｆは、入力画像ＷＩＭに対する画像演算処理を施して入力対応表示画像ＩＤＩＭを表示するために必要な画像信号を画像表示信号生成部５０へ送信し、画像表示面１０ｄに入力対応表示画像ＩＤＩＭを表示する構成としてある。
【０２１５】
画像複製処理部６ｓは、入力対応表示画像ＩＤＩＭを複製した複製表示画像ＴＤＩＭを表示するために必要な画像信号を画像表示信号生成部５０へ送信し、画像表示面１０ｄに複製表示画像ＴＤＩＭを表示する構成としてある。
【０２１６】
画像回転処理部６ｔは、複製表示画像ＴＤＩＭを１８０度回転させた回転表示画像ＲＤＩＭを表示するために必要な画像信号を画像表示信号生成部５０へ送信し、画像表示面１０ｄに回転表示画像ＲＤＩＭを表示する構成としてある。
【０２１７】
機能対応処理部７は、液晶表示電子機器１が備える固有の機能を処理する構成としてある。例えば、翻訳処理部７ｆを適用して実行することが可能である。また、ゲーム機能を実行する場合には、ゲーム機能処理部７ｓを適用して実行することが可能となる。
【０２１８】
記憶部８には、実施の形態１ないし実施の形態３で説明した各処理を実行するためのコンピュータプログラムが予めインストールしてある。また、必要に応じて入力画像ＷＩＭの画像情報、入力対応表示画像ＩＤＩＭの画像情報、複製表示画像ＴＤＩＭの画像情報、回転表示画像ＲＤＩＭの画像情報を一時的に記憶することが可能な構成としてある。
【０２１９】
液晶表示部１０、液晶駆動部１３、視差制御部２０、画像入力部３０、入力画像検出部４０の機能は実施の形態１ないし実施の形態３で説明したとおりである。なお、画像入力は操作者ＯＰが外部に配置された発光型入力ペン３５を利用して画像入力部３０に対して実行することが可能である。
【０２２０】
また、操作部６０から適宜の指示を液晶表示電子機器１に対して実行することが可能である。操作部６０の構成を簡略化するために、画面にメニューを表示するメニュー形態でプログラムを実行する形式としてある。また、操作部６０からの操作を制御部５に伝達するために操作入力インターフェイス６１が制御部５と操作部６０との間に配置してある。
【図面の簡単な説明】
【０２２１】
【図１Ａ】本発明の実施の形態１に係る液晶表示電子機器の概略構成および視差制御された表示状態を概念的に示す平面図である。
【図１Ｂ】図１Ａに示した液晶表示電子機器の矢符Ｘ方向から見た側面状態を透視的に示す透視側面図である。
【図２Ａ】図１Ｂに示した液晶表示電子機器の領域Ｙ１（第１表示領域、第１視認方向入力許容領域）の断面状態を拡大して第１視認方向での画像の入力状態を概念的に示す入力概念説明図である。
【図２Ｂ】図２Ａで入力した画像を第１視認方向で表示／視認するときの表示状態を概念的に示す表示概念説明図である。
【図２Ｃ】図１Ｂに示した液晶表示電子機器の領域Ｙ２（第２表示領域、第２視認方向入力許容領域）の断面状態を拡大して第２視認方向での画像の入力状態を概念的に示す入力概念説明図である。
【図２Ｄ】図２Ｃで入力した画像を第２視認方向で表示／視認するときの表示状態を概念的に示す表示概念説明図である。
【図２Ｅ】図１Ｂに示した液晶表示電子機器の領域Ｙ１、Ｙ２の間にある領域Ｙ３（第３表示領域）の断面状態を拡大して第１視認方向および第２視認方向に対する表示／視認状態を概念的に示す機能概念説明図である。
【図３Ａ】本発明の実施の形態２に係る液晶表示電子機器で画像入力／画像表示方法を実行する前の画像入力部／画像表示面の状態を拡大して示す拡大平面図である。
【図３Ｂ】本発明の実施の形態２に係る液晶表示電子機器で画像入力／画像表示方法を実行するときの画像入力部への発光型入力ペンによる入力状態を拡大して示す拡大平面図である。
【図３Ｃ】本発明の実施の形態２に係る液晶表示電子機器で画像入力／画像表示方法を実行するときの画像入力部へ入力された入力画像に対する画像演算処理の状態を拡大して示す拡大平面図である。
【図３Ｄ】本発明の実施の形態２に係る液晶表示電子機器で画像入力／画像表示方法を実行するときの画像入力部へ入力された入力画像に対する画像演算処理の状態を拡大して示す拡大平面図である。
【図３Ｅ】本発明の実施の形態２に係る液晶表示電子機器で画像入力／画像表示方法を実行するときの画像入力部へ入力された入力画像に対する画像演算処理の状態を拡大して示す拡大平面図である。
【図３Ｆ】本発明の実施の形態２に係る液晶表示電子機器で画像入力／画像表示方法を実行するときの画像入力部へ入力された入力画像に対する画像演算処理の状態を拡大して示す拡大平面図である。
【図３Ｇ】本発明の実施の形態２に係る液晶表示電子機器で画像入力／画像表示方法を実行するときの画像入力部へ入力された入力画像に対する画像演算処理を施して画像表示面へ表示した表示画像の状態を拡大して示す拡大平面図である。
【図３Ｈ】本発明の実施の形態２に係る液晶表示電子機器で画像入力／画像表示方法を実行するときの画像入力部へ入力された入力画像に対する画像演算処理を施して画像表示面へ表示した表示画像の状態を拡大して示す拡大平面図である。
【図３Ｊ】本発明の実施の形態２に係る液晶表示電子機器で画像入力／画像表示方法を実行するときの画像入力部へ入力された入力画像に対する画像演算処理を施して画像表示面へ表示した表示画像を第１視認方向から視認した状態として拡大して示す拡大平面図である。
【図３Ｋ】本発明の実施の形態２に係る液晶表示電子機器で画像入力／画像表示方法を実行するときの画像入力部へ入力された入力画像に対する画像演算処理を施して画像表示面へ表示した表示画像を第２視認方向から視認した状態として拡大して示す拡大平面図である。
【図４】本発明の実施の形態３に係る液晶表示電子機器の概略構成を概念的に示す平面図である。
【図５Ａ】図４に示した液晶表示電子機器での画像入力／画像表示方法の過程を説明する説明図であり、（Ａ）は第１視認方向入力許容領域へ画像入力をした状態を示し、（Ｂ）は第１視認方向入力許容領域へ入力された画像が表示された状態を示し、（Ｃ）は第２視認方向入力許容領域へ画像入力をした状態を示し、（Ｄ）は第２視認方向入力許容領域へ入力された画像が表示された状態を示す。
【図５Ｂ】図４に示した液晶表示電子機器での画像入力／画像表示方法の過程を説明する説明図であり、（Ａ）は第１視認方向入力許容領域へ画像入力をした状態を示し、（Ｂ）は第１視認方向入力許容領域へ入力された画像が表示された状態を示し、（Ｃ）は第２視認方向入力許容領域へ画像入力をした状態を示し、（Ｄ）は第２視認方向入力許容領域へ入力された画像が表示された状態を示す。
【図５Ｃ】図４に示した液晶表示電子機器での画像入力／画像表示方法の過程を説明する説明図であり、（Ａ）は第１視認方向入力許容領域へ画像入力をした状態を示し、（Ｂ）は第１視認方向入力許容領域へ入力された画像が表示された状態を示し、（Ｃ）は第２視認方向入力許容領域へ画像入力をした状態を示し、（Ｄ）は第２視認方向入力許容領域へ入力された画像が表示された状態を示す。
【図５Ｄ】図５Ｃの内容を具体化して示す説明図であり、（Ａ）は第１視認方向入力許容領域へ画像入力をした状態を示し、（Ｂ）は第１視認方向入力許容領域へ入力された画像が表示された状態を示し、（Ｃ）は第２視認方向入力許容領域へ画像入力をした状態を示し、（Ｄ）は第２視認方向入力許容領域へ入力された画像が表示された状態を示す。
【図５Ｅ】図４に示した液晶表示電子機器での画像入力／画像表示方法の過程を説明する説明図であり、（Ａ）は第１視認方向入力許容領域へ画像入力をした状態を示し、（Ｂ）は第１視認方向入力許容領域へ入力された画像が表示された状態を示し、（Ｃ）は第２視認方向入力許容領域へ画像入力をした状態を示し、（Ｄ）は第２視認方向入力許容領域へ入力された画像が表示された状態を示す。
【図６】本発明の実施の形態４に係る液晶表示電子機器の機能構成ブロックの概略を示すブロック図である。
【符号の説明】
【０２２２】
１  液晶表示電子機器
１ｃ  筐体
５  制御部
１０  液晶表示部
１０ｄ  画像表示面
１０ｆ  第１表示領域
１０ｓ  第２表示領域
１０ｔ  第３表示領域
１１  表示制御液晶層
１３  液晶駆動部
１４  カラーフィルタ
１５  バックライト
２０  視差制御部
２１  視差制御液晶層
３０  画像入力部
３１  入力許容領域
３１ｆ  第１視認方向入力許容領域
３１ｓ  第２視認方向入力許容領域
３５  発光型入力ペン
３５ｆ  第１発光型入力ペン
３５ｓ  第２発光型入力ペン
４０  入力画像検出部
４０ｆ  第１視認方向入力画像検出部
４０ｓ  第２視認方向入力画像検出部
４１  光電変換素子
５０  画像表示信号生成部
６０  操作部
６０ｆ  第１操作部
６０ｓ  第２操作部
７０  翻訳部
ＤＩＭ  表示画像
ＤＩＭｆ  第１視認方向表示画像
ＤＩＭｓ  第２視認方向表示画像
ＥＤ  視認方向
ＥＤｆ  第１視認方向
ＥＤｓ  第２視認方向
ＩＤＩＭ  入力対応表示画像
ＩＤＩＭｆ  第１入力対応表示画像
ＩＤＩＭｓ  第２入力対応表示画像
ＬＳ  光信号
ＯＰ  操作者
ＯＰｆ  第１視認方向操作者
ＯＰｓ  第２視認方向操作者
ＰＩＭ１  外周線
ＰＩＭ２  基本線分
ＲＤＩＭ  回転表示画像
ＲＤＩＭｆ  第１回転表示画像
ＲＤＩＭｓ  第２回転表示画像
Ｓｄｉｍ  画像表示信号
ＴＤＩＭ  複製表示画像
ＴＤＩＭｆ  第１入力複製表示画像
ＴＤＩＭｓ  第２入力複製表示画像
ＷＩＭ  入力画像
ＷＩＭｆ  第１視認方向入力画像
ＷＩＭｓ  第２視認方向入力画像
【図１Ａ】
2009187459.tif 000003
【図１Ｂ】
2009187459.tif 000004
【図２Ａ】
2009187459.tif 000005
【図２Ｂ】
2009187459.tif 000006
【図２Ｃ】
2009187459.tif 000007
【図２Ｄ】
2009187459.tif 000008
【図２Ｅ】
2009187459.tif 000009
【図３Ａ】
2009187459.tif 000010
【図３Ｂ】
2009187459.tif 000011
【図３Ｃ】
2009187459.tif 000012
【図３Ｄ】
2009187459.tif 000013
【図３Ｅ】
2009187459.tif 000014
【図３Ｆ】
2009187459.tif 000015
【図３Ｇ】
2009187459.tif 000016
【図３Ｈ】
2009187459.tif 000017
【図３Ｊ】
2009187459.tif 000018
【図３Ｋ】
2009187459.tif 000019
【図４】
2009187459.tif 000020
【図５Ａ】
2009187459.tif 000021
【図５Ｂ】
2009187459.tif 000022
【図５Ｃ】
2009187459.tif 000023
【図５Ｄ】
2009187459.tif 000024
【図５Ｅ】
2009187459.tif 000025
【図６】
2009187459.tif 000026